(57)【特許請求の範囲】
【請求項１】
ワイヤレス通信のための方法であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別することと、ここにおいて、前記ＴＴＩバンドルの前記構成は、前記ＴＴＩバンドルが対応する２つ以上のサブバンドにわたって２つ以上のＴＴＩサブバンドルとして受信されるようなものである、ここにおいて、ＣＳＩ参照サブフレームとして前記１つまたは複数のサブフレームを識別することが、ＣＳＩ参照サブフレームとして前記ＴＴＩサブバンドルの各々の最後の有効なサブフレームを識別することを備える、
前記ＣＳＩ参照サブフレームのＣＳＩ測定を実行することと、
前記ＣＳＩ測定に少なくとも部分的に基づいてＣＳＩデータを送信することと、
を備える、方法。
【請求項２】
前記ＣＳＩ参照サブフレームの各々にわたって実行されたＣＳＩ測定を平均化することと
をさらに備える、請求項１に記載の方法。
【請求項３】
ＣＳＩ参照サブフレームとして前記１つまたは複数のサブフレームを識別することが、
ＣＳＩ参照サブフレームとして前記２つ以上のＴＴＩサブバンドル内の２つ以上の有効なサブフレームを識別すること
を備える、請求項１に記載の方法。
【請求項４】
前記ＣＳＩ参照サブフレームの各々にわたって実行されたＣＳＩ測定を平均化すること
をさらに備える、請求項３に記載の方法。
【請求項５】
ＣＳＩ参照サブフレームとして前記１つまたは複数のサブフレームを識別することが、
ＣＳＩ参照サブフレームとして前記２つ以上のＴＴＩサブバンドル内の前記サブフレームのすべてを識別すること
を備える、請求項１に記載の方法。
【請求項６】
前記ＣＳＩ参照サブフレームの各々にわたって実行されたＣＳＩ測定を平均化すること
をさらに備える、請求項５に記載の方法。
【請求項７】
ＣＳＩ参照サブフレームとして前記１つまたは複数のサブフレームを識別することが、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、請求項１に記載の方法。
【請求項８】
前記ＣＳＩ測定に少なくとも部分的に基づいてＣＳＩデータを送信することが、
周期ＣＳＩ（Ｐ−ＣＳＩ）データ送信のための周期性またはオフセットを含むＰ−ＣＳＩ構成に部分的に基づいてＰ−ＣＳＩデータを送信することと、
ＣＳＩ測定のために使用されるべき前記ＣＳＩ参照サブフレームを識別するための方式を識別する非周期ＣＳＩ（Ａ−ＣＳＩ）構成に部分的に基づいてＡ−ＣＳＩデータを送信することと
を備える、請求項１に記載の方法。
【請求項９】
前記ＴＴＩバンドルの複数のサブフレームにわたるチャネル測定のためのバンドル非ゼロ電力（ＮＺＰ）ＣＳＩ基準信号（ＣＳＩ−ＲＳ）または干渉測定のためのバンドル干渉測定リソース（ＩＭＲ）のうちの少なくとも１つを受信すること
をさらに備える、請求項１に記載の方法。
【請求項１０】
ＣＳＩ参照サブフレームとして前記１つまたは複数のサブフレームを識別することが、
物理ダウンリンク制御チャネル（ＰＤＣＣＨ）バンドルが受信されたサブバンド上に前記ＣＳＩ参照サブフレームがあると決定することによって前記ＣＳＩ参照サブフレームが有効であると決定することと、
マルチキャストブロードキャスト単一周波数ネットワーク（ＭＢＳＦＮ）サブフレーム、短いダウンリンク部分をもつ特殊なサブフレーム、異なるＣＳＩサブフレームセットに関連するサブフレーム、または異なるサブバンドのサブフレームのうちの少なくとも１つを除外することによって前記ＣＳＩ参照サブフレームが有効であると決定することと、
狭帯域幅動作中に使用されるべきサブバンド上に前記ＣＳＩ参照サブフレームがあると決定することによって前記ＣＳＩ参照サブフレームが有効であると決定することと
を備える、請求項１に記載の方法。
【請求項１１】
前記ＴＴＩバンドルとともにアップリンク許可を受信することが、
カバレージ拡張技法に従って前記ＴＴＩバンドルを受信することと、
マシン型通信（ＭＴＣ）ユーザ機器（ＵＥ）において前記ＴＴＩバンドルを受信することと
を備える、請求項１に記載の方法。
【請求項１２】
ワイヤレス通信のための装置であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別するための手段と、ここにおいて、前記ＴＴＩバンドルの前記構成は、前記ＴＴＩバンドルが対応する２つ以上のサブバンドにわたって２つ以上のＴＴＩサブバンドルとして受信されるようなものである、ここにおいて、ＣＳＩ参照サブフレームとして前記１つまたは複数のサブフレームを識別するための手段が、ＣＳＩ参照サブフレームとして前記ＴＴＩサブバンドルの各々の最後の有効なサブフレームを識別するための手段を備える、
前記ＣＳＩ参照サブフレームのＣＳＩ測定を実行するための手段と、
前記ＣＳＩ測定に少なくとも部分的に基づいてＣＳＩデータを送信するための手段と、
を備える、装置。
【請求項１３】
請求項１−１１のうちのいずれか一項に記載の方法を実行するためのコンピュータ実行可能コードを記憶するコンピュータ可読記憶媒体。
【発明の詳細な説明】
【相互参照】
【０００１】
[0001]本特許出願は、その各々が本出願の譲受人に譲渡された、２０１６年１月１８日に出願された、「ＣＳＩ  Ｍｅａｓｕｒｅｍｅｎｔ  Ｕｎｄｅｒ  Ｃｏｖｅｒａｇｅ  Ｅｎｈａｎｃｅｍｅｎｔｓ  Ｉｎ  ＬＴＥ」と題する、Ｃｈｅｎらによる米国特許出願第１４／９９７，６６５号、および２０１５年１月３０日に出願された、「ＣＳＩ  Ｍｅａｓｕｒｅｍｅｎｔ  Ｕｎｄｅｒ  Ｃｏｖｅｒａｇｅ  Ｅｎｈａｎｃｅｍｅｎｔｓ  Ｉｎ  ＬＴＥ」と題する、Ｃｈｅｎらによる米国仮特許出願第６２／１１０，３０４号に対する優先権を主張する。
【背景技術】
【０００２】
開示の分野
[0002]本開示は、たとえば、ワイヤレス通信システムに関し、より詳細には、アップリンク許可が２つ以上のサブフレームにわたって受信されたときにチャネル状態情報（ＣＳＩ）データを決定することに関する。
【０００３】
関連技術の説明
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]場合によっては、ＵＥは、アップリンクチャネル上で基地局にＣＳＩデータを報告し得る。ＣＳＩデータは、ＣＳＩ参照サブフレームを使用して実行されるＣＳＩ測定に基づき得る。多くの場合、ＣＳＩ参照サブフレームは、基地局からＵＥにアップリンク許可が送信されるサブフレームと一致する。しかしながら、いくつかの状況では、アップリンク許可は、２つ以上のサブフレームにわたってＵＥに送信され得る。アップリンク許可が複数のサブフレームにわたって受信されるときにＣＳＩデータを決定するための手順が有益であり得る。
【発明の概要】
【０００６】
[0006]ユーザ機器（ＵＥ）は、基地局にチャネル状態情報（ＣＳＩ）データを報告するように構成され得る。ＣＳＩデータは、周期的に、または基地局から受信された要求に応答して（たとえば、非周期的に）報告され得る。報告されたＣＳＩデータは、１つまたは複数のＣＳＩ参照サブフレームを使用してＵＥによって決定され得る。（たとえば、カバレージ拡張状況の場合のように）ＵＥが複数のサブフレームにわたってアップリンク許可を受信する状況において、ＵＥは、ＣＳＩ参照サブフレームとしてどの１つまたは複数のサブフレームを使用すべきかを決定し得る。いくつかの状況では、ＵＥは、ＣＳＩ参照サブフレームとしてアップリンク許可の送信時間間隔（ＴＴＩ）バンドルの最後のサブフレームを使用し得る。いくつかの状況では、ＵＥは、ＣＳＩ参照サブフレームとしてアップリンク許可のＴＴＩバンドルの２つ以上のサブフレームを使用し得る。複数のＣＳＩ参照サブフレームが使用されるとき、ＵＥは、報告されるべきＣＳＩデータを決定するために複数のＣＳＩ参照サブフレームの各々にわたるＣＳＩ測定を平均化し得る。アップリンク許可が複数のサブフレームおよび複数のサブバンドにわたって受信されるとき、ＵＥによって使用されるＣＳＩ参照サブフレームは、サブバンドのいずれかまたはすべての上にあるＴＴＩバンドルのサブフレームを含み得る。
【０００７】
[0007]例示的な実施形態の第１のセットでは、ワイヤレス通信のための方法が開示される。本方法は、ＴＴＩバンドルを備える複数のサブフレーム中でアップリンク許可を受信することを含み得る。本方法はまた、ＴＴＩバンドルの構成に少なくとも部分的に基づいて、ＣＳＩ測定のために使用されるべきＣＳＩ参照サブフレームとして１つまたは複数のサブフレームを識別することを含み得る。ＣＳＩ参照サブフレームが識別されると、本方法は、ＣＳＩ参照サブフレームのＣＳＩ測定を実行することと、ＣＳＩ測定に少なくとも部分的に基づいてＣＳＩデータを送信することとを含み得る。
【０００８】
[0008]例示的な実施形態の第２のセットでは、ワイヤレス通信のための装置が開示される。本装置は、ＴＴＩバンドルを備える複数のサブフレーム中でアップリンク許可を受信するための手段を含み得る。本装置はまた、ＴＴＩバンドルの構成に少なくとも部分的に基づいて、ＣＳＩ測定のために使用されるべきＣＳＩ参照サブフレームとして１つまたは複数のサブフレームを識別するための手段を含み得る。さらに、本装置はまた、ＣＳＩ参照サブフレームのＣＳＩ測定を実行するための手段と、ＣＳＩ測定に少なくとも部分的に基づいてＣＳＩデータを送信するための手段とを含み得る。
【０００９】
[0009]例示的な実施形態の第３のセットでは、ワイヤレス通信のための装置が開示され得る。本装置は、プロセッサと、プロセッサと電子通信しているメモリと、メモリに記憶された命令とを含み得る。命令は、プロセッサによって、ＴＴＩバンドルを備える複数のサブフレーム中でアップリンク許可を受信するように実行可能であり得る。命令はまた、プロセッサによって、ＴＴＩバンドルの構成に少なくとも部分的に基づいて、ＣＳＩ測定のために使用されるべきＣＳＩ参照サブフレームとして１つまたは複数のサブフレームを識別するように実行可能であり得る。さらに、命令は、プロセッサによって、ＣＳＩ参照サブフレームのＣＳＩ測定を実行することと、ＣＳＩ測定に少なくとも部分的に基づいてＣＳＩデータを送信することとを実行可能であり得る。
【００１０】
[0010]例示的な実施形態の第４のセットでは、ワイヤレス通信のためのコンピュータ実行可能コードを記憶する非一時的コンピュータ可読媒体が開示され得る。コードは、プロセッサによって、ＴＴＩバンドルを備える複数のサブフレーム中でアップリンク許可を受信するように実行可能であり得る。コードはまた、プロセッサによって、ＴＴＩバンドルの構成に少なくとも部分的に基づいて、ＣＳＩ測定のために使用されるべきＣＳＩ参照サブフレームとして１つまたは複数のサブフレームを識別するように実行可能であり得る。さらに、コードは、プロセッサによって、ＣＳＩ参照サブフレームのＣＳＩ測定を実行することと、ＣＳＩ測定に少なくとも部分的に基づいてＣＳＩデータを送信することとを実行可能であり得る。
【００１１】
[0011]様々な例示的な実施形態の態様は、ＣＳＩ参照サブフレームとしてＴＴＩバンドルの最後の有効なサブフレームを識別することを含み得る。他の態様は、ＣＳＩ参照サブフレームとしてＴＴＩバンドル中の２つ以上の有効なサブフレームを識別することを含み得る。一例として、ＴＴＩバンドル中のサブフレームのすべては、ＣＳＩ参照サブフレームとして識別され得る。様々な例示的な実施形態の追加の態様は、ＣＳＩデータを送信するために使用されるサブフレームよりも少なくとも所定の数だけ前のサブフレームである最新の有効なサブフレームを識別することを含み得、ここにおいて、最新の有効なサブフレームとＣＳＩデータを送信するために使用されるサブフレームとの間のギャップが、アップリンク許可を搬送しない少なくとも１つのサブフレームを含む。
【００１２】
[0012]いくつかの態様では、ＴＴＩバンドルの構成は、ＴＴＩバンドルが単一のサブバンド上で受信され得るようなものである。追加の態様では、物理ダウンリンク共有チャネル（ＰＤＳＣＨ）バンドルは、第１のサブバンド上で受信され得、アップリンク許可は、第２のサブバンド上で受信され得る。代替的に、ＴＴＩバンドルの構成は、ＴＴＩバンドルが対応する２つ以上のサブバンドにわたって２つ以上のＴＴＩサブバンドルとして受信され得るようなものである。
【００１３】
[0013]ＴＴＩバンドルが対応する２つ以上のサブバンドにわたって２つ以上のＴＴＩサブバンドルとして受信される状況において、本開示の態様は、ＣＳＩ参照サブフレームとして最後のＴＴＩサブバンドルの最後の有効なサブフレームを識別することを含み得る。本開示の態様はまた、ＣＳＩ参照サブフレームとしてＴＴＩサブバンドルの各々の最後の有効なサブフレームを識別することと、ＣＳＩ参照サブフレームの各々にわたって実行されたＣＳＩ測定を平均化することとを含み得る。本開示の態様はまた、ＣＳＩ参照サブフレームとして２つ以上のＴＴＩサブバンドル内の２つ以上の有効なサブフレームを識別することと、ＣＳＩ参照サブフレームの各々にわたって実行されたＣＳＩ測定を平均化することとを含み得る。本開示の態様はまた、ＣＳＩ参照サブフレームとして２つ以上のＴＴＩサブバンドル内のサブフレームのすべてを識別することと、ＣＳＩ参照サブフレームの各々にわたって実行されたＣＳＩ測定を平均化することとを含み得る。さらに、本開示の態様は、ＣＳＩデータを送信するために使用されるサブフレームよりも少なくとも所定の数だけ前のサブフレームである最新の有効なサブフレームを識別することを含み得、ここにおいて、最新の有効なサブフレームとＣＳＩデータを送信するために使用されるサブフレームとの間のギャップが、アップリンク許可を搬送しない少なくとも１つのサブフレームを含む。
【００１４】
[0014]いくつかの態様では、ＣＳＩ測定に少なくとも部分的に基づいてＣＳＩデータを送信することは、周期ＣＳＩ（Ｐ−ＣＳＩ）データ送信のための周期性（periodicity）またはオフセットを含むＰ−ＣＳＩ構成に部分的に基づいてＰ−ＣＳＩデータを送信することと、アップリンク許可に関連するアップリンク送信のバンドリングサイズに基づいてＰ−ＣＳＩ構成を変更することとを含み得る。他の態様では、ＣＳＩ測定に少なくとも部分的に基づいてＣＳＩデータを送信することは、ＣＳＩ測定のために使用されるべきＣＳＩ参照サブフレームを識別するための方式（scheme）を識別する非周期ＣＳＩ（Ａ−ＣＳＩ）構成に部分的に基づいてＡ−ＣＳＩデータを送信することを含み得る。
【００１５】
[0015]いくつかの態様は、さらに、ＴＴＩバンドルの複数のサブフレームにわたるチャネル測定のためのバンドル（bundled）非ゼロ電力（ＮＺＰ）ＣＳＩ基準信号（ＣＳＩ−ＲＳ）を受信することを含み得る。他の態様は、さらに、ＴＴＩバンドルの複数のサブフレームにわたる干渉測定のためのバンドル（bundled）干渉測定リソース（ＩＭＲ）を受信することを含み得る。
【００１６】
[0016]いくつかの態様では、識別されたＣＳＩ参照サブフレームは、有効であると決定される。これは、ＰＤＳＣＨバンドルが受信されたサブバンド上にＣＳＩ参照サブフレームがあると決定することによって行われ得る。これはまた、マルチキャストブロードキャスト単一周波数ネットワーク（ＭＢＳＦＮ）サブフレーム、短いダウンリンク部分をもつ特殊な（special）サブフレーム、異なるＣＳＩサブフレームセットに関連するサブフレーム、または異なるサブバンドのサブフレームのうちの少なくとも１つを除外することによって行われ得る。これは、狭帯域幅動作中に使用されるべきサブバンド上にＣＳＩ参照サブフレームがあると決定することによってさらに行われ得る。
【００１７】
[0017]いくつかの態様では、ＴＴＩバンドルは、カバレージ拡張技法に従って受信され得る。他の態様では、ＴＴＩバンドルは、マシン型通信（ＭＴＣ）ＵＥにおいて受信され得る。
【００１８】
[0018]上記では、以下の詳細な説明がより良く理解され得るように、本開示による例の特徴および技術的利点をかなり広く概説した。さらなる特徴および利点が以下で説明される。開示する概念および具体例は、本開示の同じ目的を実行するための他の構造を修正または設計するための基礎として容易に利用され得る。そのような等価な構成は、添付の特許請求の範囲の範囲から逸脱しない。本明細書で開示される概念の特性、それらの編成と動作方法の両方は、関連する利点とともに、添付の図に関連して考慮されるとき、以下の説明からより良く理解されよう。図の各々は、例示および説明のみの目的で提供され、特許請求の範囲の限界を定めるものではない。
【００１９】
[0019]本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２０】
【図１】[0020]本開示の様々な態様による、ワイヤレス通信システムのブロック図。
【図２】[0021]本開示の様々な態様による、チャネル状態情報（ＣＳＩ）通信フロー図。
【図３Ａ】[0022]本開示の様々な態様による、ＣＳＩ報告のための例示的なタイムラインを示す図。
【図３Ｂ】本開示の様々な態様による、ＣＳＩ報告のための例示的なタイムラインを示す図。
【図４】[0023]本開示の様々な態様による、異なるＣＳＩ参照サブフレームを使用するＣＳＩ報告のためのタイムラインを示す図。
【図５】[0024]本開示の様々な態様による、複数のサブフレームおよびサブバンドにわたってアップリンク許可を受信するための例示的なタイムラインを示す図。
【図６】[0025]本開示の様々な態様による、異なるＣＳＩ参照サブフレームおよびサブバンドを使用するＣＳＩ報告のためのタイムラインを示す図。
【図７】[0026]本開示の様々な態様による、ワイヤレス通信において使用するために構成されたデバイスのブロック図。
【図８】[0027]本開示の様々な態様による、ワイヤレス通信において使用するために構成されたデバイスのブロック図。
【図９】[0028]本開示の様々な態様による、ワイヤレス通信システムのブロック図。
【図１０】[0029]本開示の様々な態様による、ワイヤレス通信において使用するための装置のブロック図。
【図１１】[0030]本開示の様々な態様による、ワイヤレス通信において使用するための基地局のブロック図。
【図１２】[0031]本開示の様々な態様による、多入力／多出力通信システムのブロック図。
【図１３】[0032]本開示の様々な態様による、ワイヤレス通信のための例示的な方法を示すフローチャート。
【図１４】本開示の様々な態様による、ワイヤレス通信のための例示的な方法を示すフローチャート。
【図１５】本開示の様々な態様による、ワイヤレス通信のための例示的な方法を示すフローチャート。
【詳細な説明】
【００２１】
[0033]基地局は、ＵＥからアップリンク送信を受信し、ＵＥにダウンリンク送信を送ることによってユーザ機器（ＵＥ）と通信し得る。いくつかの状況では、基地局は、ダウンリンクチャネル条件に基づいてダウンリンク送信構成を選択し得る。ダウンリンクチャネル条件は、チャネル状態情報（ＣＳＩ）データの形態でＵＥによって基地局に報告され得る。ダウンリンクチャネル条件は、ＣＳＩ参照サブフレームと呼ばれることがある特定のダウンリンクサブフレーム中にダウンリンクチャネル上で行われた測定に基づいて決定され得る。ＵＥは、周期的に、または基地局からの特定の要求に応答して（たとえば、非周期的に）基地局にＣＳＩデータを報告し得る。周期ＣＳＩ（Ｐ−ＣＳＩ）データと非周期ＣＳＩ（Ａ−ＣＳＩ）データとの両方は、特定のＣＳＩ参照サブフレームを考慮してＵＥによって生成され得る。ＵＥは、ＣＳＩ参照サブフレームとして使用すべき１つまたは複数のサブフレームを識別し得る。ただし、最大限活用するために、識別されたＣＳＩ参照サブフレームは、基地局がダウンリンク送信を送信すべきダウンリンクチャネルと一致し（coincide）得る。たとえば、識別されたＣＳＩ参照サブフレームは、基地局からのアップリンク許可の送信のために使用されるものに対応し得る。
【００２２】
[0034]しかしながら、いくつかの状況では、アップリンク許可は、２つ以上のサブフレームにわたって基地局からＵＥに送信され得る。他の状況では、アップリンク許可は、複数のサブフレームにわたって、および複数のサブバンドにわたって基地局からＵＥに送信され得る。一例では、これらの状況は、基地局が限られた通信オプションを有するＵＥと通信しているときに起こり得る。一例として、基地局は、カバレージ拡張状況の下で動作し得る。カバレージ拡張動作は、概して、いくつかの制約の下で動作するデバイスとの通信の有効性を増加させるための方法を含む。これらの制約は、リモートまたは遠距離（distant）ロケーション、電力制限、受信能力などを含み得る。カバレージ拡張動作は、サブフレーム内の送信の反復、異なるサブフレームにわたる送信の反復、電力増大（boosting）、ビームフォーミング、空間多重化などを含み得る。カバレージ拡張動作はまた、複数のサブフレームにわたるおよび／または複数のサブバンドにわたる送信のバンドリングを含み得る。カバレージ拡張動作はまた、マシン型通信（ＭＴＣ）適用例またはＵＥのために採用され得る。
【００２３】
[0035]ＭＴＣおよび／またはマシンツーマシン（Ｍ２Ｍ）通信は、デバイスが人間の介入なしに互いにまたは基地局と通信することを可能にするデータ通信技術を指すことがある。たとえば、ＭＴＣは、情報を測定またはキャプチャするためにセンサーまたはメーターを組み込み、その情報を利用すること、またはプログラムもしくはアプリケーションと対話する人間にその情報を提示することができる中央サーバまたはアプリケーションプログラムへ、その情報を中継するデバイスからの通信を指すことがある。多くの場合、ＭＴＣデバイスは電力の制約を受ける。たとえば、ＭＴＣデバイスは、電力が限られていることがあり、またはワイヤレスにアクセスすることが困難なロケーションに配置されることがある。ＭＴＣデバイスのための適用例の例は、スマートメータリング、インベントリ監視、水位監視、機器監視、ヘルスケア監視、野生生物監視、天候および地質学的事象監視、フリート（fleet）管理および追跡、リモートセキュリティ検知、物理的アクセス制御、ならびにトランザクションベースのビジネスの課金を含む。
【００２４】
[0036]したがって、基地局とＭＴＣ  ＵＥとの間の通信中などのカバレージ拡張状況において、基地局は、たとえば、基地局とＭＴＣ  ＵＥとの間の通信を改善するためにバンドリングを使用し得る。基地局はまた、ＵＥからのＣＳＩデータを必要とし得る。ただし、ＵＥは、ＣＳＩデータを生成するために１つまたは複数のＣＳＩ参照サブフレームを識別する必要があり得る。基地局が、ＵＥと通信するために複数のサブフレームおよび／またはサブバンドを使用していることがあるので、ＵＥによって識別されるＣＳＩ参照サブフレームは、（たとえば、アップリンク許可の送信中に）使用されるサブフレームおよび／またはサブバンドのうちの特定のものに有益に対応し得る。
【００２５】
[0037]したがって、以下でより詳細に説明するように、ＵＥは、ＣＳＩ参照サブフレームとしてアップリンク許可の送信時間間隔（ＴＴＩ）バンドルの最後のサブフレームを使用し得る。いくつかの状況では、ＵＥは、ＣＳＩ参照サブフレームとしてアップリンク許可のＴＴＩバンドルの２つ以上のサブフレームを使用し得る。複数のＣＳＩ参照サブフレームが使用されるとき、ＵＥは、報告されるべきＣＳＩデータを決定するために複数のＣＳＩ参照サブフレームの各々にわたるＣＳＩ測定を平均化し得る。アップリンク許可が複数のサブフレームおよび複数のサブバンドにわたって受信されるとき、ＵＥによって使用されるＣＳＩ参照サブフレームは、サブバンドのいずれかまたはすべての上にあるＴＴＩバンドルのサブフレームを含み得る。
【００２６】
[0038]以下の説明は例を与えるものであり、特許請求の範囲に記載される範囲、適用可能性、または例を限定するものではない。本開示の範囲から逸脱することなく、説明する要素の機能および構成に変更が行われ得る。様々な例は、適宜に様々な手順または構成要素を省略、置換、または追加し得る。たとえば、説明する方法は、説明する順序とは異なる順序で実行され得、様々なステップが追加、省略、または組み合わされ得る。また、いくつかの例に関して説明する特徴は、他の例において組み合わされ得る。
【００２７】
[0039]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレスの通信リンクであり得るバックホールリンク１３４（たとえば、Ｘ１など）を介して、直接的または間接的に（たとえば、コアネットワーク１３０を通して）互いに通信し得る。
【００２８】
[0040]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、エボルブドノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００２９】
[0041]いくつかの例では、ワイヤレス通信システム１００はロングタームエボリューション（ＬＴＥ（登録商標））またはＬＴＥアドバンスト（ＬＴＥ−Ａ）ネットワークである。ＬＴＥ／ＬＴＥ−Ａネットワークでは、ｅＮＢという用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連付けられたキャリアもしくはコンポーネントキャリア、またはキャリアもしくは基地局のカバレージエリア（たとえば、セクタなど）を表すために使用され得る３ＧＰＰ（登録商標）用語である。
【００３０】
[0042]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較してより低い電力の基地局であり、それは、マクロセルと同じまたは異なる（たとえば、ライセンスされている、ライセンスされていないなどの）周波数帯域内で動作し得る。スモールセルは、様々な例によれば、ピコセル、フェムトセル、およびマイクロセルを含み得る。ピコセルは、比較的より小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３１】
[0043]ワイヤレス通信システム１００は、同期動作または非同期動作をサポートし得る。同期動作の場合、基地局は、同様のフレームタイミングを有し得、異なる基地局からの送信は、近似的に時間的にアラインされ（aligned）得る。非同期動作の場合、基地局は異なるフレームタイミングを有し得、異なる基地局からの送信は時間的にアラインされないことがある。本明細書で説明する技法は、同期動作または非同期動作のいずれかのために使用され得る。
【００３２】
[0044]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するためにパケットのセグメンテーションとリアセンブリとを実行し得る。媒体アクセス制御（ＭＡＣ）レイヤは、優先度ハンドリングと、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤは、ユーザプレーンデータのために無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは、物理チャネルにマッピングされ得る。
【００３３】
[0045]ＵＥ１１５はワイヤレス通信システム１００全体にわたって分散され、各ＵＥ１１５は固定またはモバイルであり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３４】
[0046]いくつかの例では、ＵＥ１１５は、低コストまたはＭＴＣ  ＵＥであり得、ＬＴＥ／ＬＴＥ−Ａネットワークではカテゴリー０としてカテゴリー分類され得る。カテゴリー０のＵＥは、様々な電力制約または設計の簡略化により制限され得る。たとえば、カテゴリー０のＵＥは、低減されたピークデータレートによって制限され得る。一例として、カテゴリー０のＵＥは、トランスポートブロックサイズごとに１０００ビットでキャッピングされ（be capped）得る。カテゴリー０のＵＥは、ランク１送信に制限され、これは、ＵＥが一度に１つの送信にのみ参加することが可能であり得ることを意味し得る。カテゴリー０のＵＥは、ＵＥによる使用のために構成されたアンテナ数を制限され得る。たとえば、カテゴリー０のＵＥは、１つのアンテナのみ有し得る。半二重動作のために構成された場合、カテゴリー０のＵＥはまた、（たとえば、送信（Ｔｘ）から受信（Ｒｘ）へ、またはＲｘからＴｘへの）緩やかな切替えタイミング要件を有し得る。たとえば、非カテゴリー０のＵＥは、２０μｓの切替えタイミング要件を有し得、一方、カテゴリー０のＵＥは、１ｍｓの切替えタイミング要件を有し得る。
【００３５】
[0047]とはいえ、ＵＥ１１５は、カテゴリー０のＵＥであるのかまたは非カテゴリー０のＵＥであるのかにかかわらず、たとえば、広帯域制御チャネル、物理ダウンリンク制御チャネル（ＰＤＣＣＨ）および拡張物理ダウンリンク制御チャネル（ＥＰＤＣＣＨ）の監視を含むダウンリンク制御チャネルを依然として監視し得る。さらに、拡張ＭＴＣ（ｅＭＴＣ）ＵＥは、より広いシステム帯域幅（たとえば、１．４／３／５／１０／１５／２０ＭＨｚ帯域幅）での狭帯域動作が可能であり得る。たとえば、ｅＭＴＣ  ＵＥは、１．４ＭＨｚの帯域幅（たとえば、６つのリソースブロック（ＲＢ）幅である帯域幅）上で動作することが可能であり得る。ｅＭＴＣ  ＵＥのサポートは、カバレージ拡張を含み、最大１５ｄＢの信号利得をもたらし得る。
【００３６】
[0048]したがって、ＵＥ１１５は、（ＭＴＣ  ＵＥおよびｅＭＴＣ  ＵＥなどの）カテゴリー０のＵＥと非カテゴリー０のＵＥとの両方を含み得る。ＵＥ１１５は、同様に、ＵＥの他のカテゴリーを含み得る。
【００３７】
[0049]ワイヤレス通信システム１００に示す通信リンク１２５は、ＵＥ１１５から基地局１０５へのアップリンク送信、および／または基地局１０５からＵＥ１１５へのダウンリンク送信を含み得る。ダウンリンク送信は、順方向リンク送信と呼ばれることもあり、アップリンク送信は、逆方向リンク送信と呼ばれることもある。各通信リンク１２５は、１つまたは複数のキャリアを含み得、ここで、各キャリアは、上記で説明した様々な無線技術に従って変調された複数のサブキャリア（たとえば、異なる周波数の波形信号）から構成された信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対（paired）スペクトルリソースを使用して）または時分割複信（ＴＤＤ）動作を使用して（たとえば、不対（unpaired）スペクトルリソースを使用して）双方向通信を送信し得る。ＦＤＤ用のフレーム構造（たとえば、フレーム構造タイプ１）およびＴＤＤ用のフレーム構造（たとえば、フレーム構造タイプ２）が定義され得る。
【００３８】
[0050]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３９】
[0051]ワイヤレス通信システム１００は、複数のセルまたはキャリア上での動作、すなわち、キャリアアグリゲーション（ＣＡ）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４０】
[0052]ワイヤレス通信システム１００は、ＵＥ１１５から基地局１０５へのＣＳＩデータの送信をサポートし得る。非カテゴリー０のＵＥは、Ｐ−ＣＳＩデータ送信とＡ−ＣＳＩデータ送信との両方をサポートし得る。カテゴリー０のＵＥはまた、Ｐ−ＣＳＩデータ送信またはＡ−ＣＳＩデータ送信のうちの少なくとも１つをサポートし得る。したがって、ＵＥ１１５は、サブフレームセットベースのＣＳＩフィードバックを実行するように構成され得る。いくつかの例では、たとえば、拡張セル間干渉協調（ｅＩＣＩＣ）または拡張干渉緩和およびトラフィック適応（ｅＩＭＴＡ）中に、ＵＥ１１５は、２つのサブフレームセットについてＣＳＩデータが別個に報告されるように２つのサブフレームセットで構成され得る。
【００４１】
[0053]図２は、本開示の様々な態様による、ＣＳＩ通信フロー図２００を示す。図２中の通信は、基地局１０５−ａとＵＥ１１５−ａとの間のものである。基地局１０５−ａは、図１に示した基地局１０５の一例であり得る。ＵＥ１１５−ａは、図１に示したＵＥ１１５の一例であり得る。したがって、ＵＥ１１５−ａは、ＭＴＣ  ＵＥ、カテゴリー０のＵＥ、非カテゴリー０のＵＥなどであり得る。
【００４２】
[0054]フロー図２００では、基地局１０５−ａは、ＵＥ１１５−ａにアップリンク許可２０５を送信する。アップリンク許可２０５は、ＰＤＣＣＨ中に含まれ、または、場合によっては、物理ダウンリンク共有チャネル（ＰＤＳＣＨ）中に含まれ得る。アップリンク許可２０５は、２つ以上のサブフレームにわたって送信され得、複数のサブフレームを含むＴＴＩバンドルを含み得る。いくつかの実施形態では、ＴＴＩバンドルは、２つ以上のＴＴＩサブバンドルに分割され得、複数のサブバンドにわたって送信され得る。２つ以上のサブフレームおよび／またはサブバンドにわたるアップリンク許可２０５の送信は、カバレージ拡張動作の結果であり得、たとえば、ＵＥ１１５−ａがＭＴＣ  ＵＥであるときにＵＥ１１５−ａに有益であり得る。
【００４３】
[0055]アップリンク許可２０５を受信した後に、ＵＥ１１５−ａは、ＣＳＩデータ２１５が基地局１０５−ａに送信されるべきかを決定するために、ブロック２１０において、ＣＳＩ測定を実行し得る。典型的なＣＳＩ測定技法は、以下で図３Ａおよび図３Ｂを参照しながら説明される。各シナリオでは、ＵＥ１１５−ａは、測定に使用すべきＣＳＩ参照サブフレームを識別する。一般に、ＣＳＩ参照サブフレームは、報告（reporting）サブフレーム（すなわち、ＵＥ１１５−ａから基地局１０５−ａにＣＳＩデータを送信するために使用されるサブフレーム）の４ｍｓ前に発生する。Ａ−ＣＳＩフィードバックでは、ＣＳＩ参照サブフレームは、一般に、アップリンク許可（すなわち、対応する物理アップリンク共有チャネル（ＰＵＳＣＨ）送信をスケジュールするアップリンク許可）が送信される同じサブフレームである。
【００４４】
[0056]ＣＳＩ参照サブフレームは、セル固有基準信号（ＣＲＳ）またはＣＳＩ基準信号（ＣＳＩ−ＲＳ）のいずれかを含み得る。ＣＲＳまたはＣＳＩ−ＲＳは、チャネル測定とＣＳＩデータの生成においてＵＥ１１５−ａを助けるために使用され得る。同様に、ＣＳＩ参照サブフレームはまた、干渉測定リソース（ＩＭＲ）を含み得る。ＣＲＳおよびＩＭＲは、干渉測定でＵＥ１１５−ａを助けるために使用され得る。
【００４５】
[0057]しかしながら、いくつかのサブフレームは、測定のために、またはＣＳＩ参照サブフレームとして使用するのに有効でないことがある。たとえば、短いダウンリンクパイロットタイムスロット（ＤｗＰＴＳ）を有する特殊なサブフレームは、ＣＲＳを含むには十分に長くないことがあり、したがって、ＣＳＩ参照サブフレームとして有効でないことがある。さらに、マルチキャストブロードキャスト単一周波数ネットワーク（ＭＢＳＦＮ）サブフレームはまた、ＣＲＳを含むことが可能でないことがあり、したがって、ＣＳＩ参照サブフレームとして有効でないことがある。場合によっては、２つ以上のＣＳＩサブフレームセットが構成され得る。各ＣＳＩサブフレームセットに関連する（１つまたは複数の）ダウンリンクサブフレームのセットは、異なる干渉特性を有することが予想され得る。有効なＣＳＩ参照サブフレームになるために、ダウンリンクサブフレームは、対応する報告されたＣＳＩサブフレームセットと同じサブフレームセット中にあり得る。別の例として、ＣＳＩ報告についての干渉測定のためにＩＭＲが使用される場合、ＣＳＩ測定のための有効なダウンリンクサブフレームはまた、ＩＭＲを含んでいることがある。
【００４６】
[0058]単一のＣＳＩ参照サブフレームがＣＳＩ測定のために必要とされるが、ＵＥ１１５−ａは、一般に、報告精度および信頼性を改善するために、ＣＳＩ測定のために複数のサブフレームを使用し得る。複数のＣＳＩ参照サブフレームにわたって行われた測定は、たとえば、全体的なＣＳＩ測定を与えるために平均化され得る。
【００４７】
[0059]図３Ａは、本開示の様々な態様による、ＣＳＩ報告のための例示的なタイムライン３００−ａを示す。タイムライン３００−ａは、ダウンリンクタイムライン３０５とアップリンクタイムライン３１０とを含む。ダウンリンクタイムライン３０５は、図１または図２の基地局１０５などの基地局からの送信の相対的なタイミングを示し、一方、アップリンクタイムライン３１０は、図１または図２のＵＥ１１５などのＵＥからの送信の相対的なタイミングを示す。ダウンリンクタイムライン３０５とアップリンクタイムライン３１０とは、サブフレーム３１５に分割される。
【００４８】
[0060]タイムライン３００−ａは、Ｐ−ＣＳＩ報告の一例を示す。上述のように、典型的なＣＳＩ報告は、ＣＳＩ参照サブフレームの発生の４ｍｓ後に発生する。これは、タイムライン３００−ａでの場合である。タイムライン３００−ａでは、Ｐ−ＣＳＩ報告サブフレーム３２５−ａは、対応するＣＳＩ参照サブフレーム３２０−ａの４つのサブフレームの後に発生する。同様に、Ｐ−ＣＳＩ報告サブフレーム３２５−ｂは、対応するＣＳＩ参照サブフレーム３２０−ｂの４つのサブフレームの後に発生する。タイムライン３００−ａ中のサブフレーム３１５は、長さが約１ｍｓであり得る。図示されていないが、ＣＳＩ報告サブフレームの４ｍｓ前のサブフレームが、有効なサブフレームでない（たとえば、サブフレームが、ＴＤＤ構成中のアップリンクサブフレームである）場合、ＣＳＩ報告サブフレームのためのＣＳＩ参照サブフレームは、ＣＳＩ報告サブフレームの５ｍｓ前またはそれ以前の最新の有効なダウンリンクサブフレームであり得る。
【００４９】
[0061]より一般論的に、Ｐ−ＣＳＩ報告サブフレーム３２５は、ＣＳＩ参照サブフレーム３２０として、Ｐ−ＣＳＩ報告３２５の前のｎ個のサブフレームであるサブフレーム３１５を使用し得、ここで、ｎは、一般に、４以上の整数である。整数ｎは、ｎ＿｛ＣＳＩ，Ｒｅｆ｝と呼ばれることがある。
【００５０】
[0062]図３Ｂは、本開示の様々な態様による、ＣＳＩ報告のための例示的なタイムライン３００−ｂを示す。タイムライン３００−ｂは、ダウンリンクタイムライン３５５とアップリンクタイムライン３６０とを含む。ダウンリンクタイムライン３５５は、図１または図２の基地局１０５などの基地局からの送信の相対的なタイミングを示し、一方、アップリンクタイムライン３６０は、図１または図２のＵＥ１１５などのＵＥからの送信の相対的なタイミングを示す。ダウンリンクタイムライン３５５とアップリンクタイムライン３６０とは、サブフレーム３１５に分割される。
【００５１】
[0063]タイムライン３００−ｂは、Ａ−ＣＳＩ報告の一例を示す。上述のように、典型的なＡ−ＣＳＩ報告サブフレームは、ＣＳＩ参照サブフレームとして、対応するアップリンク許可が送信されるサブフレーム３１５を使用する。したがって、タイムライン３００−ｂでは、Ａ−ＣＳＩ報告サブフレーム３７０−ａは、アップリンク許可３６５−ａによって可能にされたＰＵＳＣＨ送信を含み、それのサブフレームはまた、Ａ−ＣＳＩ報告サブフレーム３７０−ａのためのＣＳＩ参照サブフレームとして使用される。同様に、Ａ−ＣＳＩ報告サブフレーム３７０−ｂは、アップリンク許可３６５−ｂによって可能にされたＰＵＳＣＨ送信を含み、それのサブフレームはまた、Ａ−ＣＳＩ報告サブフレーム３７０−ｂのためのＣＳＩ参照サブフレームとして使用される。
【００５２】
[0064]図３Ａおよび図３Ｂに示した例は、アップリンク許可が単一のサブフレーム上で搬送されるときは十分であり得るが、図１に関して上記で説明したように、カバレージ拡張状況中に起こり得る、アップリンク許可が複数のサブフレームにわたって送信されるときにＣＳＩ参照サブフレームを識別するための追加のオプションが有益であり得る。カバレージ拡張中に、ＰＵＳＣＨ送信をスケジュールするアップリンク許可が、複数のダウンリンクサブフレームを使用して送信され得る。さらに、（アップリンクおよびダウンリンク許可を含む）ＰＤＳＣＨ送信が、異なるサブバンドを介してホッピングし得る。一例として、各サブバンドは、６ＲＢ帯域幅制限の対象となり得、ホッピングシーケンスは、チャネルごとにあらかじめ定義され得る。とはいえ、その結果、アップリンク許可が、複数のサブフレームおよび／またはサブバンドにわたって送信され得る。これらの状況におけるＣＳＩフィードバックは、アップリンク許可のために使用されるサブフレームおよびサブバンドのチャネルおよび干渉測定を正確に反映するために調整され得る。
【００５３】
[0065]どのサブフレームおよびサブバンドがＣＳＩ参照サブフレームとして使用すべきかを決定する際に、以下のファクタが検討され得る。第１に、同じ送信ブロックのためのバンドルＰＤＳＣＨ送信は、異なるサブバンドを介してホッピングし得、そのようなホッピングは、あらかじめ定義され得る。したがって、ＣＳＩ報告は、ＰＤＳＣＨがホッピングされるサブバンドを介して行われる測定に好ましくは基づく。第２に、アップリンク許可送信のためのＴＴＩバンドリングがある場合、ＣＳＩ報告は、アップリンク許可が送信されたサブフレームのセットからの１つまたは複数のサブフレームに好ましくは基づく。第３に、ＣＳＩ参照サブフレームとして選択されるサブフレームはまた、有効なＣＳＩ参照サブフレームであるはずである。
【００５４】
[0066]ＣＳＩ参照サブフレームは、たとえば、ＣＲＳを含むことが可能である場合、ＣＳＩ測定のために有効であり得る。したがって、ＤｗＰＴＳサブフレームとＭＢＳＦＮサブフレームとは有効なＣＳＩ参照サブフレームでないことがある。ＣＳＩ参照サブフレームはまた、アップリンク許可の送信のために使用される同じサブフレームセット中にある場合、ＣＳＩ測定のために有効であり得る。さらに、ＭＴＣ  ＵＥの場合、サブバンドは、追加のファクタとして働き得る。たとえば、ＭＴＣ  ＵＥが、ＣＳＩが報告することを目的とするサブバンドとは異なるサブバンドにチューニングされる場合、サブフレームは、ＣＳＩ測定のために有効でない。
【００５５】
[0067]したがって、ＣＳＩ参照サブフレーム選択は、アップリンク許可が複数のサブフレームにわたって送信されるのかどうか、アップリンク許可が複数のサブフレームおよびサブバンドにわたって送信されるのかどうか、ならびに個別のサブフレームがＣＳＩ測定のために有効であるかどうかに依存し得る。
【００５６】
[0068]本開示の一態様では、アップリンク許可が、複数のサブフレームにわたるが、単一のサブバンド上で送信されるとき（すなわち、サブバンドホッピングのない状況において）ＣＳＩ参照サブフレーム選択が検討される。
【００５７】
[0069]この状況では、Ｐ−ＣＳＩ報告は、図３Ａを参照しながら上記で略述したように機能し得る。すなわち、Ｐ−ＣＳＩ報告サブフレームは、（たとえば、Ｐ−ＣＳＩ報告サブフレームの周期性およびオフセットを定義する）Ｐ−ＣＳＩ構成に従って選択され得る。ＣＳＩ参照サブフレームは、次いで、Ｐ−ＣＳＩ報告サブフレームの前のあらかじめ定義された数のサブフレームｎから選択され得る。一例では、ｎは、４つ以上のサブフレームであり得る。選択されたＣＳＩ参照サブフレームはまた、ＣＳＩ測定のために有効でなければならない。したがって、Ｐ−ＣＳＩ報告サブフレームの前のｎ個のサブフレームであるサブフレームがＣＳＩ測定のために有効でない場合、ｎ＋１のサブフレーム（Ｐ−ＣＳＩ報告サブフレームの前のｎ＋１個のサブフレームであるサブフレーム）が、検討され、それが有効である場合、使用され得る。
【００５８】
[0070]Ａ−ＣＳＩ報告が図４に示される。図４は、本開示の様々な態様による、異なるＣＳＩ参照サブフレームを使用するＣＳＩ報告のためのタイムライン４００を示す。タイムライン４００は、ダウンリンクタイムライン４０５とアップリンクタイムライン４１０とを含む。ダウンリンクタイムライン４０５は、図１または図２の基地局１０５などの基地局からの送信の相対的なタイミングを示し、一方、アップリンクタイムライン４１０は、図１または図２のＵＥ１１５などのＵＥからの送信の相対的なタイミングを示す。ダウンリンクタイムライン４０５とアップリンクタイムライン４１０とは、サブフレーム３１５に分割される。
【００５９】
[0071]ダウンリンクタイムライン４０５は、複数のサブフレーム３１５にわたるＴＴＩバンドルを含むアップリンク許可４１５を含む。図４の例では、アップリンク許可４１５は、８つのサブフレーム３１５にわたる。アップリンク許可４１５は、アップリンクタイムライン４１０上に示すＰＵＳＣＨ送信４３５をスケジュールするために働き得る。スケジュールされたＰＵＳＣＨ送信４３５は、８つのサブフレーム３１５についてスケジュールされているものとして示されており、Ａ−ＣＳＩ報告を含み得る。図４の例では、アップリンク許可４１５とＰＵＳＣＨ送信４３５との間に８つのサブフレーム３１５のギャップがある。実際には、アップリンク許可４１５、ＰＵＳＣＨ送信４３５、またはアップリンク許可４１５とＰＵＳＣＨ送信４３５との間のギャップの長さは、すべて異なり（vary）得る。
【００６０】
[0072]ＰＵＳＣＨ送信４３５中に含まれるＡ−ＣＳＩ報告は、１つまたは複数のＣＳＩ参照サブフレームに関して実行されるＣＳＩ測定に基づき得る。図４では、候補ＣＳＩ参照サブフレームのための３つの異なる代替が示される。第１の代替４２０では、アップリンク許可４１５のためのＴＴＩバンドルの最後の有効なサブフレーム３１５がＣＳＩ参照サブフレームとして使用され得る。第１の代替４２０によって識別されるサブフレーム３１５が、アップリンク許可４１５によって使用される１つのサブフレームを表すが、第１の代替４２０は、アップリンク許可４１５によって使用されるサブフレーム３１５のすべてを表すＣＳＩ参照サブフレームの選択をもたらさない。図示されていないが、ＣＳＩ測定のための単一の参照サブフレームは、異なるサブフレーム中に指定され得る。一例として、アップリンク許可４１５のためのＴＴＩバンドルの第１の有効なサブフレームは、ＣＳＩ参照サブフレームとして使用され得る。
【００６１】
[0073]第２の代替４２５は、この問題に対処し得る。第２の代替４２５では、アップリンク許可４１５を搬送するＴＴＩバンドルのサブフレームの全セット内の２つ以上のサブフレーム３１５が、ＣＳＩ参照サブフレームとして使用され得る。第２の代替４２５において使用される２つ以上のサブフレーム３１５は、ＣＳＩ測定のために使用するために有効である必要があり得る。いくつかの状況では、アップリンク許可４１５を搬送するＴＴＩバンドルのサブフレーム３１５のセット中のすべての有効なサブフレーム３１５が、ＣＳＩ測定のために使用され得る。２つ以上のサブフレーム３１５がＣＳＩ測定のために使用されるとき、ＣＳＩ測定は、ＰＵＳＣＨ送信４３５に含めるための単一のＣＳＩデータを与えるために平均化され得る。代替的に、個別のＣＳＩ参照サブフレームに対応する個別の報告も、ＰＵＳＣＨ送信４３５を用いて送信され得る。
【００６２】
[0074]第３の代替４３０は、図３Ｂに示した技法を使用することを含み得る。第３の代替４３０では、ＰＵＳＣＨ送信４３５の４ｍｓ前またはそれ以前の最新の有効な１つまたは複数のサブフレームが、ＣＳＩ参照サブフレームとして使用され得る。したがって、タイムライン４００では、第３の代替４３０に示すサブフレーム３１５は、ＰＵＳＣＨ送信４３５の開始より前の４つのサブフレームである。この第３の代替４３０では、識別された有効なＣＳＩ参照サブフレームとＰＵＳＣＨ送信４３５との間のギャップは、アップリンク許可４１５を搬送していない少なくとも１つのサブフレームを含み得る。第３の代替４３０では、識別されたＣＳＩ参照サブフレームは、アップリンク許可４１５が送信されたサブフレーム３１５に対応することも、対応しないこともある。
【００６３】
[0075]第１の代替４２０と第３の代替４３０とを通して識別されるＣＳＩ参照サブフレームがＵＥ１１５において最小限の処理を必要とし得るが、潜在的に最も正確なＣＳＩ測定は、第２の代替４２５の使用から生じ得る。
【００６４】
[0076]いくつかの状況では、ＰＤＳＣＨ送信は、第１のサブバンド中で繰り返され得、一方、アップリンク許可は、第１のサブバンドとは異なる第２のサブバンド中で繰り返されるかまたはバンドルされ得る。この場合、アップリンク許可は、依然として単一のサブバンド上にあり得、図４に示す第１の代替４２０、第２の代替４２５、または第３の代替４３０のいずれかが、Ａ−ＣＳＩ報告のために適用され得る。ただし、この状況では、（アップリンク許可が送信されるサブバンドに対応する）ＣＳＩ測定のために使用されるサブバンドは、次のＰＤＳＣＨが送信され得るサブバンドとアラインされないことがある。ただし、この状況は、基地局１０５の制御下にあり得、これは、異なるサブバンドのためのＣＳＩフィードバックを取得するために、アップリンク許可の送信のために異なるサブバンドを選択し得る。さらにまたは別個に、基地局１０５は、ＰＤＳＣＨ送信のための好適なサブバンドを決定するために異なるサブバンドのＣＳＩ測定を取得するためにＰ−ＣＳＩを使用することを選定し得る。
【００６５】
[0077]本開示の別の態様では、アップリンク許可が、複数のサブフレームにわたっておよび複数のサブバンドにわたって送信されるとき（すなわち、サブバンドホッピングがある状況において）ＣＳＩ参照サブフレーム選択が検討される。この状況は図５に示される。
【００６６】
[0078]図５は、本開示の様々な態様による、複数のサブフレームおよびサブバンドにわたってアップリンク許可を受信するための例示的なタイムライン５００を示す。タイムライン５００は、ダウンリンクタイムライン５０５とアップリンクタイムライン５１０とを含む。ダウンリンクタイムライン５０５は、図１または図２の基地局１０５などの基地局からの送信の相対的なタイミングを示し、一方、アップリンクタイムライン５１０は、図１または図２のＵＥ１１５などのＵＥからの送信の相対的なタイミングを示す。ダウンリンクタイムライン５０５とアップリンクタイムライン５１０とは、サブフレーム３１５に分割される。ダウンリンクタイムライン５０５はまた、複数のサブバンド５１５にわたって分割される。図５の例では、ダウンリンクタイムライン５０５は、サブバンド５１５−ａと、サブバンド５１５−ｂと、サブバンド５１５−ｃと、サブバンド５１５−ｄとを含む。任意の数のサブバンド５１５が、ダウンリンクタイムライン５０５中に含まれ得る。
【００６７】
[0079]ダウンリンクタイムライン５０５上で送信されるアップリンク許可は、２つ以上のＴＴＩサブバンドル５２０に分割されたＴＴＩバンドルを含み得る。図５の例では、第１のＴＴＩサブバンドル５２０−ａは、サブバンド５１５−ａ上の４つのサブフレーム３１５を占有するものとして示されている。第２のＴＴＩサブバンドル５２０−ｂは、サブバンド５１５−ｃ上の４つのサブフレーム３１５を占有するものとして示されている。したがって、この例では、アップリンク許可は、２つのＴＴＩサブバンドル５２０にわたって８つのサブフレーム３１５を使用し、各々が、４つのサブフレーム３１５をもつ。アップリンク許可は、アップリンクタイムライン５１０上に示すＰＵＳＣＨ送信５２５をスケジュールするために働き得る。スケジュールされたＰＵＳＣＨ送信５２５は、８つのサブフレーム３１５についてスケジュールされているものとして示されており、Ａ−ＣＳＩ報告を含み得る。図５の例では、第２のＴＴＩサブバンドル５２０−ｂとＰＵＳＣＨ送信５２５との間に４つのサブフレーム３１５のギャップがある。実際には、ＴＴＩサブバンドル５２０の長さおよび数、ＴＴＩサブバンドル５２０によって占有されるサブバンド５１５、ＰＵＳＣＨ送信５２５の長さ、ならびに第２の（または最後の）ＴＴＩサブバンドル５２０−ｂとＰＵＳＣＨ送信５２５との間のギャップとは、すべて異なり得る。
【００６８】
[0080]複数のサブバンド５１５にわたるアップリンク許可の分割は、たとえば、特にＭＴＣ  ＵＥにとって、送信のための周波数ダイバーシティを改善するのを支援し得る。そうする際に、基地局はまた、基地局が必ずしもそうする必要はないが、周波数またはサブバンド選択的スケジューリングから利益を得ることが可能であり得る。したがって、基地局が、周波数選択性スケジューリングを活用しようとする場合、基地局は、特定のサブバンド５１５に対して行ったＣＳＩ測定を反映するＣＳＩ報告の受信から利益を得ることになる。この状況では、（基地局が、異なるサブバンドのＣＳＩ測定に基づいて周波数選択性スケジューリングを活用しようとするので、ＣＳＩ参照サブフレームとして使用されるべきサブフレームが基地局によって指定されたサブバンド上に位置し得ることを除いて、ＣＳＩ参照サブフレームは、Ａ−ＣＳＩ報告について図４に関して説明し、Ｐ−ＣＳＩ報告について図３Ａに関して説明したのと同様の方法で識別され得る。
【００６９】
[0081]ただし、基地局が周波数選択性スケジューリングを活用する意図を有しないとき、ＣＳＩ測定が、実行され、たとえば、複数のサブバンにわたって平均化され得る。追加の例および代替が、以下に説明される。
【００７０】
[0082]サブバンドホッピングが存在するときでも、Ｐ−ＣＳＩ報告は、図３Ａを参照しながら上記で略述したように機能し得る。すなわち、Ｐ−ＣＳＩ報告サブフレームは、（たとえば、Ｐ−ＣＳＩ報告サブフレームの周期性およびオフセットを定義し、評価されるべきサブバンドをも含む）Ｐ−ＣＳＩ構成に従って選択され得る。識別されたサブバンド上のＣＳＩ参照サブフレームは、次いで、Ｐ−ＣＳＩ報告サブフレームの前のあらかじめ定義された数のサブフレームｎから選択され得る。一例では、ｎは、４つ以上のサブフレームであり得る。選択されたＣＳＩ参照サブフレームはまた、ＣＳＩ測定のために有効でなければならない。したがって、Ｐ−ＣＳＩ報告サブフレームの前のｎ個のサブフレームであるサブフレームがＣＳＩ測定のために有効でない場合、ｎ＋１のサブフレーム（Ｐ−ＣＳＩ報告サブフレームの前のｎ＋１個のサブフレームであるサブフレーム）が、検討され、それが有効である場合、使用され得る。ＣＳＩが報告されるサブバンドは、この場合、測定されたサブバンドと同じである。代替的に、複数のサブバンドにわたる複数のＣＳＩ参照サブフレームは、Ｐ−ＣＳＩ報告が複数のサブバンドにわたって平均化されたチャネル品質を反映するように指定され得る。
【００７１】
[0083]サブバンドホッピングが行われる状況のためのＡ−ＣＳＩ報告が図６に示される。図６は、本開示の様々な態様による、異なるＣＳＩ参照サブフレームを使用するＣＳＩ報告のためのタイムライン６００を示す。タイムライン６００は、ダウンリンクタイムライン６０５とアップリンクタイムライン６１０とを含む。ダウンリンクタイムライン６０５は、図１または図２の基地局１０５などの基地局からの送信の相対的なタイミングを示し、一方、アップリンクタイムライン６１０は、図１または図２のＵＥ１１５などのＵＥからの送信の相対的なタイミングを示す。ダウンリンクタイムライン６０５とアップリンクタイムライン６１０とは、サブフレーム３１５に分割される。ダウンリンクタイムライン６０５はまた、複数のサブバンド６１５にわたって分割される。図６の例では、ダウンリンクタイムライン６０５は、サブバンド６１５−ａと、サブバンド６１５−ｂと、サブバンド６１５−ｃと、サブバンド６１５−ｄとを含む。任意の数のサブバンド６１５が、ダウンリンクタイムライン６０５中に含まれ得る。
【００７２】
[0084]ダウンリンクタイムライン６０５上で送信されるアップリンク許可は、２つ以上のＴＴＩサブバンドル６２０に分割されたＴＴＩバンドルを含み得る。図６の例では、第１のＴＴＩサブバンドル６２０−ａは、サブバンド６１５−ａ上の４つのサブフレーム３１５を占有するものとして示されている。第２のＴＴＩサブバンドル６２０−ｂは、サブバンド６１５−ｃ上の４つのサブフレーム３１５を占有するものとして示されている。したがって、この例では、アップリンク許可は、２つのＴＴＩサブバンドル６２０にわたって８つのサブフレーム３１５を使用し、各々が、４つのサブフレーム３１５をもつ。アップリンク許可は、アップリンクタイムライン６１０上に示すＰＵＳＣＨ送信６４５をスケジュールするために働き得る。スケジュールされたＰＵＳＣＨ送信６４５は、８つのサブフレーム３１５についてスケジュールされているものとして示されており、Ａ−ＣＳＩ報告を含み得る。図６の例では、第２のＴＴＩサブバンドル６２０−ｂとＰＵＳＣＨ送信６４５との間に４つのサブフレーム３１５のギャップがある。実際には、ＴＴＩサブバンドル６２０の長さおよび数、ＴＴＩサブバンドル６２０によって占有されるサブバンド６１５、ＰＵＳＣＨ送信６４５の長さ、ならびに第２の（または最後の）ＴＴＩサブバンドル６２０−ｂとＰＵＳＣＨ送信６４５との間のギャップとは、すべて異なり得る。
【００７３】
[0085]ＰＵＳＣＨ送信６４５中に含まれるＡ−ＣＳＩ報告は、１つまたは複数のＣＳＩ参照サブフレームに関して実行されるＣＳＩ測定に基づき得る。図６では、候補ＣＳＩ参照サブフレームのための４つの異なる代替が示される。第１の代替６２５では、第２の（または最後の）ＴＴＩサブバンドル６２０−ｂの最後の有効なサブフレーム３１５がＣＳＩ参照サブフレームとして使用され得る。識別されたＣＳＩ参照サブフレームがＣＳＩ測定のために有効でない場合、有効なサブフレームが識別されるまでサブバンド上の次により早いサブフレームが選択され得る。第１の代替６２５によって識別されるサブフレーム３１５が、アップリンク許可によって使用される１つのサブフレームを表すが、第１の代替６２５は、アップリンク許可によって使用されるサブフレーム３１５のすべてを表すＣＳＩ参照サブフレームの選択をもたらさない。さらに、第１の代替６２５は、アップリンク許可が送信される１つのサブバンドだけを表すＣＳＩ参照サブフレームの使用をもたらす。図示されていないが、２つ以上の有効なサブフレームが、ＣＳＩ測定のために第２の（または最後の）ＴＴＩサブバンドル６２０−ｂ中で使用され得る。図示されていないが、ＣＳＩ測定のための単一の参照サブフレームは、異なるサブフレーム中にまたは異なるサブバンドル中に指定され得る。一例として、アップリンク許可のための第２の（または最後の）ＴＴＩサブバンドル６２０−ｂの第１の有効なサブフレームは、ＣＳＩ参照サブフレームとして使用され得る。別の例として、アップリンク許可のための第１のＴＴＩサブバンドル６２０−ａの第１の有効なサブフレームは、ＣＳＩ参照サブフレームとして使用され得る。
【００７４】
[0086]第２の代替６３０は、第１の代替６２５を改善する。第２の代替６３０では、第１のＴＴＩサブバンドル６２０−ａと第２のＴＴＩサブバンドル６２０−ｂとの各々の最後の有効なサブフレーム３１５がＣＳＩ参照サブフレームとして使用され得る。２つ以上のサブフレーム３１５がＣＳＩ測定のために使用されるとき、ＣＳＩ測定は、ＰＵＳＣＨ送信６４５に含めるための単一のＣＳＩにデータを与えるために平均化され得る。代替的に、個別のＣＳＩ参照サブフレームおよびサブバンドに対応する個別の報告も、ＰＵＳＣＨ送信６４５を用いて送信され得る。本明細書で説明する代替の各々の場合と同様に、識別されたサブフレームはまた、ＣＳＩ測定のために有効であるべきである。識別されたＣＳＩ参照サブフレームのうちの１つがＣＳＩ測定のために有効でない場合、有効なサブフレームが識別されるまでサブバンド上の次により早いサブフレームが選択され得る。
【００７５】
[0087]第３の代替６３５では、図６の第１のＴＴＩサブバンドル６２０−ａと第２のＴＴＩサブバンドル６２０−ｂとの両方を含む、アップリンク許可を搬送するＴＴＩバンドルのサブフレームの全セット内の２つ以上のサブフレーム３１５がＣＳＩ参照サブフレームとして使用され得る。第３の代替６３５において使用される２つ以上のサブフレーム３１５は、ＣＳＩ測定のために使用するために有効である必要があり得る。いくつかの状況では、アップリンク許可を搬送する組み合わされたＴＴＩサブバンドル６２０のサブフレーム３１５のセット中のすべての有効なサブフレーム３１５が、ＣＳＩ測定のために使用され得る。上記で説明したように、２つ以上のサブフレーム３１５がＣＳＩ測定のために使用されるとき、ＣＳＩ測定は、ＰＵＳＣＨ送信６４５に含めるための単一のＣＳＩにデータを与えるために平均化され得る。代替的に、個別のＣＳＩ参照サブフレームに対応する個別の報告も、ＰＵＳＣＨ送信６４５を用いて送信され得る。
【００７６】
[0088]第４の代替６４０は、図３Ｂに示した技法を使用することを含み得る。第４の代替６４０では、ＰＵＳＣＨ送信６４５の４ｍｓ前またはそれ以前の最新の有効なサブフレームが、ＣＳＩ参照サブフレームとして使用され得る。ＣＳＩが報告されるサブバンドは、この場合、測定されたサブバンドと同じである。したがって、タイムライン６００では、第４の代替６４０に示すサブフレーム３１５は、ＰＵＳＣＨ送信６４５の開始より前の４つのサブフレームである。この第４の代替６４０では、識別された有効なＣＳＩ参照サブフレームとＰＵＳＣＨ送信６４５との間のギャップは、アップリンク許可を搬送していない少なくとも１つのサブフレームを含み得る。
【００７７】
[0089]第１の代替６２５と第４の代替６４０とを通して識別されるＣＳＩ参照サブフレームがＵＥ１１５において最小限の処理を必要とし得るが、より正確な可能性がある（potentially more accurate）ＣＳＩ測定は、第２の代替６３０または第３の代替６３５の使用から生じ得る。
【００７８】
[0090]図３Ａ、図３Ｂ、図４、および図６に関して識別された代替は、Ｐ−ＣＳＩまたはＡ−ＣＳＩ報告のいずれかのための有効なＣＳＩ参照サブフレームを識別する際に使用され得る。特に、ＣＳＩ報告がＣＲＳに基づくとき、上記で識別された代替は、アップリンク送信が複数のサブフレームおよび／またはサブバンドにわたって送信される状況を扱うのに十分であり得る。ただし、ＣＳＩ報告がＣＳＩ−ＲＳに基づくとき、追加の検討が必要とされ得る。これらは、非ゼロ電力（ＮＺＰ）ＣＳＩ−ＲＳが、チャネル測定のためにもバンドルされることを保証することを含み得る。バンドルＮＺＰ  ＣＳＩ−ＲＳは、目的とするＰＤＳＣＨ動作とともにバンドルされ得る。さらに、ＩＭＲは、複数のサブフレームにわたる干渉測定をサポートするために複数のサブフレーム中で使用可能にされ得る。
【００７９】
[0091]上記で識別された代替は、ＣＳＩ構成中に指定され得る。たとえば、Ａ−ＣＳＩ構成は、ＣＳＩ参照サブフレームを識別するための、およびＣＳＩデータを決定するための、図３Ｂ、図４、または図６に関して説明した代替のうちの１つまたは複数を識別し得る。Ａ−ＣＳＩ構成は、ＵＥ１１５に位置し得る。一実施形態では、Ａ−ＣＳＩ構成は、基地局１０５からＵＥ１１５によって受信され得る。
【００８０】
[0092]Ｐ−ＣＳＩ構成は、ＣＳＩ測定のための周期性、オフセットなどを識別し得る。一実施形態では、Ｐ−ＣＳＩ構成は、ＵＥ１１５によって使用されるアップリンク送信のバンドリングサイズに依存し得る。たとえば、アップリンクバンドリングが使用されていない場合、ＵＥ１１５は、定義された周期性および／またはオフセットを有するデフォルトのまたは既存のＰ−ＣＳＩ構成を使用し得る。しかしながら、アップリンクバンドリングが使用されている場合、ＵＥ１１５は、たとえば、インデックス付きＰ−ＣＳＩ構成を使用し得る。したがって、所与のバンドリングサイズについて、Ｐ−ＣＳＩ構成が定義され得る。第１のアップリンクバンドリングサイズは、第１の定義されたＰ−ＣＳＩ構成の使用をトリガし得るが、第２のアップリンクバンドリングサイズは、第２の定義されたＰ−ＣＳＩ構成の使用をトリガし得る。特定の例として、アップリンク送信のためのバンドリングサイズの８は、Ｐ−ＣＳＩが８つのバンドルごとに送信されることを指定するＰ−ＣＳＩ構成をトリガし得、オフセットは、バンドリングのグラニュラリティ（granularity）の点で定義され得る。
【００８１】
[0093]代替的に、Ｐ−ＣＳＩ構成は、アップリンク送信のバンドリングサイズを考慮せずに使用され得る。
【００８２】
[0094]さらにまたは別個に、ＣＳＩ測定のための最後の有効なサブフレームと対応するＣＳＩ報告（Ｐ−ＣＳＩ、Ａ−ＣＳＩ、またはその両方）との間の最小ギャップは、４ｍｓよりも長いことがある。一例として、最小ギャップは、６ｍｓとして指定され得る。４ｍｓと比較して、より長い最小ギャップは、ＭＴＣ  ＵＥがＣＳＩ報告のための測定信号を処理するためにより長い時間を与え、したがって、ＭＴＣ  ＵＥにおける処理の必要性を低減する。さらに、最小ギャップは、バンドリング長さの関数であり得る。一例として、ＴＴＩバンドリング長さが１である場合、６ｍｓの最小ギャップが指定され得る。ＴＴＩバンドリング長さが８である場合、１０ｍｓの最小ギャップが指定され得る。
【００８３】
[0095]図７は、本開示の様々な態様による、ワイヤレス通信において使用するためのデバイス７０５のブロック図７００を示す。デバイス７０５は、図３Ａ、図３Ｂ、または図４〜図６を参照しながら説明した機能を有する図１または図２を参照しながら説明したＵＥ１１５の１つまたは複数の態様の一例であり得る。デバイス７０５は、ＵＥ受信機モジュール７１０、ＵＥ  ＣＳＩモジュール７１５、および／またはＵＥ送信機モジュール７２０を含み得る。デバイス７０５はまた、プロセッサ（図示せず）であるか、またはそれを含み得る。これらのモジュールの各々は互いに通信していることがある。
【００８４】
[0096]デバイス７０５の構成要素は、適用可能な機能の一部または全部をハードウェアで実行するように適応された１つまたは複数の特定用途向け集積回路（ＡＳＩＣ）を使用して、個々にまたはまとめてインプリメントされ得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いてインプリメントされ得る。
【００８５】
[0097]ＵＥ受信機モジュール７１０は、パケット、ユーザデータ、および／または様々な情報チャネル（たとえば、制御チャネル、データチャネルなど）に関連する制御情報などの情報を受信し得る。ＵＥ受信機モジュール７１０は、たとえば、カバレージ拡張環境においてバンドルアップリンク許可を受信するように構成され得る。バンドルアップリンク許可は、複数のサブフレームおよび／または複数のサブバンドを介して送信されるＴＴＩバンドルを含み得る。ＰＤＳＣＨ送信はまた、ＵＥ受信機モジュール７１０を使用して受信され得る。さらに、いくつかの態様では、Ｐ−ＣＳＩまたはＡ−ＣＳＩ構成は、ＵＥ受信機モジュール７１０を介して受信され得る。受信された情報は、ＵＥ  ＣＳＩモジュール７１５に、およびデバイス７０５の他の構成要素に渡され得る。
【００８６】
[0098]ＵＥ  ＣＳＩモジュール７１５は、基地局にＣＳＩデータを測定し報告するためにデバイス７０５によって使用され得る。特に、ＵＥ  ＣＳＩモジュール７１５は、デバイス７０５が、複数のサブフレームおよび／またはサブバンドにわたってアップリンク許可を受信し、ＣＳＩデータを決定する必要がある状況において使用され得る。ＵＥ  ＣＳＩモジュール７１５は、アップリンク許可の受信されたＴＴＩバンドルの構成を認識することと、受信されたＴＴＩバンドルが複数のサブフレームまたはサブバンドにわたって拡散されるのかどうかを決定することとを行うために使用され得る。決定された構成に基づいて、ＵＥ  ＣＳＩモジュール７１５は、ＣＳＩ参照サブフレームとして使用すべき１つまたは複数のサブフレームを識別するために使用され得る。ＵＥ  ＣＳＩモジュール７１５はまた、１つまたは複数の識別されたＣＳＩ参照サブフレームを使用してＣＳＩ測定を実行するために使用され得る。得られたＣＳＩデータは、基地局への送信のためにＵＥ送信機モジュール７２０に渡され得る。
【００８７】
[0099]ＵＥ送信機モジュール７２０は、デバイス７０５の他の構成要素から受信された１つまたは複数の信号を送信し得る。ＵＥ送信機モジュール７２０は、ＵＥ  ＣＳＩモジュール７１５の動作と連携して基地局にＣＳＩデータを送信し得る。いくつかの例では、ＵＥ送信機モジュール７２０は、トランシーバモジュールにおいてＵＥ受信機モジュール７１０とコロケートされ得る。
【００８８】
[0100]図８は、様々な例による、ワイヤレス通信において使用するためのデバイス７０５−ａのブロック図８００を示す。デバイス７０５−ａは、図３Ａ、図３Ｂ、または図４〜図６に関して説明した機能を実行する図１または図２を参照しながら説明したＵＥ１１５の１つまたは複数の態様の一例であり得る。デバイス７０５−ａはまた、図７を参照しながら説明したデバイス７０５の一例であり得る。デバイス７０５−ａは、ＵＥ受信機モジュール７１０−ａ、ＵＥ  ＣＳＩモジュール７１５−ａ、および／またはＵＥ送信機モジュール７２０−ａを含み得、これらは、デバイス７０５の対応するモジュールの例であり得る。デバイス７０５−ａは、プロセッサ（図示せず）をも含み得る。これらの構成要素の各々は互いに通信していることがある。ＵＥ  ＣＳＩモジュール７１５−ａは、ＴＴＩバンドル構成モジュール８０５、ＣＳＩ参照サブフレーム識別モジュール８１０、またはＣＳＩ測定モジュール８１５を含み得る。ＵＥ受信機モジュール７１０−ａおよびＵＥ送信機モジュール７２０−ａは、それぞれ、図７のＵＥ受信機モジュール７１０およびＵＥ送信機モジュール７２０の機能を実行し得る。
【００８９】
[0101]ＴＴＩバンドル構成モジュール８０５は、デバイス７０５−ａによって受信されたアップリンク許可送信中に含まれる１つまたは複数のＴＴＩバンドルの構成を決定するためにデバイス７０５−ａによって使用され得る。たとえば、カバレージ拡張状況では、デバイス７０５−ａは、複数のサブフレームおよび／またはサブバンドにわたってアップリンク許可を受信し得る。複数のサブフレームにわたって送信されるアップリンク許可は、複数のサブフレームにわたるＴＴＩバンドルを含み得る。複数のサブフレームおよびサブバンドにわたって送信されるアップリンク許可は、１つまたは複数のＴＴＩサブバンドルを含み得、各々が、複数のサブフレームにわたり、各々が、異なるサブバンド上で搬送される。ＴＴＩバンドル構成モジュール８０５は、アップリンク許可とともに受信された特定のＴＴＩバンドル構成を決定するためにデバイス７０５−ａによって使用され得る。
【００９０】
[0102]ＣＳＩ参照サブフレーム識別モジュール８１０は、ＴＴＩバンドル構成モジュール８０５によって識別されたＴＴＩバンドル構成に鑑みて１つまたは複数のＣＳＩ参照サブフレームを識別するためにデバイス７０５−ａによって使用され得る。したがって、たとえば、ＣＳＩ参照サブフレーム識別モジュール８１０は、ＣＳＩ参照サブフレームを決定する際に図３Ａ、図３Ｂ、図４、または図６に関して上記で説明した代替のうちのどれを使用すべきかを定義するＣＳＩ構成を含み得る。ＣＳＩ参照サブフレーム識別モジュール８１０は、ＴＴＩバンドル構成に基づいてと、Ｐ−ＣＳＩ報告またはＡ−ＣＳＩ報告が使用されているのかどうかとから選択され得る複数のＣＳＩ構成を含み得る。一例では、ＣＳＩ参照サブフレーム識別モジュール８１０は、ＣＳＩ参照サブフレームとして、ＴＴＩバンドルまたはＴＴＩサブバンドルの最後の有効なサブフレームを使用することを選択し得る。別の例では、ＣＳＩ参照サブフレーム識別モジュール８１０は、ＣＳＩ参照サブフレームとして、複数のＴＴＩサブバンドルの各々の最後の有効なサブフレームを使用することを選択し得る。ＴＴＩバンドル中のまたは複数のＴＴＩサブバンドルにわたるすべての有効なサブフレームを含む複数のサブフレームがＣＳＩ参照サブフレームとして使用され得る。さらに、ＣＳＩ報告の前の設定された数のサブフレームを生じるサブフレームはまた、ＣＳＩ参照サブフレームとして識別され得る。最後に、ＣＳＩ参照サブフレーム識別モジュールによるＣＳＩ参照サブフレームの識別は、ＴＴＩバンドル構成モジュールによって識別されたＴＴＩ構成に依存し得、ＣＳＩ構成にも依存し得る。
【００９１】
[0103]ＣＳＩ測定モジュール８１５は、ＣＳＩ参照サブフレーム識別モジュール８１０によってＣＳＩ参照サブフレームとして識別された１つまたは複数のサブフレームを介してＣＳＩを測定するために、デバイス７０５−ａによって使用され得る。ＣＳＩ測定はまた、ＣＳＩ構成に従って実行され得る。したがって、ＣＳＩ測定が、複数のＣＳＩ参照サブフレームに対して行われ、一緒に平均化されるべきであるとＣＳＩ構成が定義された場合、ＣＳＩ測定モジュール８１５が、ＣＳＩ測定を実行することと、測定を一緒に平均化することとを行うために使用されることになる。したがって、ＣＳＩ測定モジュール８１５は、ＣＳＩ測定、（ＣＳＩ構成によって定義された場合）ＣＳＩ測定の平均化を実行し得、（たとえば、ＵＥ送信機モジュール７２０−ａを使用して）１つまたは複数のＣＳＩデータの送信を容易にし得る。
【００９２】
[0104]図９は、様々な例による、ワイヤレス通信における使用のためのシステム９００を示す。システム９００は、ＵＥ１１５−ｂを含み得、これは、図３Ａ、図３Ｂ、または図４〜図６を参照しながら説明した機能を組み込む図１または図２のＵＥ１１５の一例であり得る。ＵＥ１１５−ｂはまた、図７および図８のデバイス７０５の１つまたは複数の態様の一例であり得る。
【００９３】
[0105]ＵＥ１１５−ｂは、概して、通信を送信するための構成要素と通信を受信するための構成要素とを含む、双方向音声およびデータ通信のための構成要素を含み得る。ＵＥ１１５−ｂは、（１つまたは複数の）ＵＥアンテナ９４０と、ＵＥトランシーバモジュール９３５と、ＵＥプロセッサモジュール９０５と、（ソフトウェア（ＳＷ）９２０を含む）ＵＥメモリ９１５とを含み得、それらはそれぞれ、（たとえば、１つまたは複数のバス９４５を介して）直接または間接的に互いに通信し得る。ＵＥトランシーバモジュール９３５は、上記で説明したように、（１つまたは複数の）ＵＥアンテナ９４０および／あるいは１つまたは複数のワイヤードまたはワイヤレスリンクを介して、１つまたは複数のネットワークと双方向に通信するように構成され得る。たとえば、ＵＥトランシーバモジュール９３５は、図１〜図６に関して基地局１０５と双方向に通信するように構成され得る。ＵＥトランシーバモジュール９３５は、パケットを変調し、被変調パケットを送信のために（１つまたは複数の）ＵＥアンテナ９４０に与え、（１つまたは複数の）ＵＥアンテナ９４０から受信されたパケットを復調するように構成されたモデムを含み得る。ＵＥ１１５−ｂは単一のＵＥアンテナ９４０を含み得るが、ＵＥ１１５−ｂは、複数のワイヤレス送信を同時に送信および／または受信することが可能な複数のＵＥアンテナ９４０を有し得る。ＵＥトランシーバモジュール９３５は、複数のコンポーネントキャリアを介して、１つまたは複数の基地局１０５と同時に通信することが可能であり得る。
【００９４】
[0106]ＵＥ１１５−ｂは、ＵＥ  ＣＳＩモジュール７１５−ｂを含み得、これは、図７および図８のデバイス７０５のＵＥ  ＣＳＩモジュール７１５のための上記で説明した機能を実行し得る。ＵＥ１１５−ｂはまた、ＣＳＩ測定平均化モジュール９２５またはＣＳＩ構成モジュール９３０を含み得る。ＣＳＩ測定平均化モジュール９２５は、（図８の）ＣＳＩ測定モジュール８１５とは別個のまたはそれを組み込んだモジュールであり得、基地局にＣＳＩデータを送信するより前にすでに取得されたＣＳＩ測定を平均化するために使用され得る。ＣＳＩ構成モジュール９３０は、ＣＳＩ構成を記憶するために使用され得、これは、次いで、ＣＳＩ構成を定義するために（図８の）ＣＳＩ参照サブフレーム識別モジュール８１０またはＣＳＩ測定モジュール８１５のいずれかによって使用され得る。記憶されたＣＳＩ構成は、（ＣＳＩ参照サブフレーム識別モジュール８１０によって使用される）ＣＳＩ参照サブフレームを決定するための方式を規定し得る。記憶されたＣＳＩ構成はまた、１つまたは複数のＣＳＩ測定が行われるべきであるのかどうかと（ＣＳＩ測定モジュール８１５によって使用される）測定が平均化されるべきであるのかどうかとを規定し得る。記憶されたＣＳＩ構成は、記憶されたＡ−ＣＳＩ構成と記憶されたＰ−ＣＳＩ構成とを含み得る。記憶されたＰ−ＣＳＩ構成の場合、アップリンク送信上で使用され得る異なるサイズのバンドリングに対応する複数の構成が記憶され得る。
【００９５】
[0107]ＵＥメモリ９１５は、ランダムアクセスメモリ（ＲＡＭ）と読取り専用メモリ（ＲＯＭ）とを含み得る。ＵＥメモリ９１５は、実行されたとき、ＵＥプロセッサモジュール９０５に、本明細書で説明する様々な機能（たとえば、ＵＥ１１５−ｂが、バンドルアップリンク許可を受信しているとき、識別されたＣＳＩ参照サブフレームに対してＣＳＩ測定を実行すること）を実行することを行わせるように構成された命令を含んでいるコンピュータ可読、コンピュータ実行可能ソフトウェア／ファームウェアコード９２０を記憶し得る。代替的に、コンピュータ可読、コンピュータ実行可能ソフトウェア／ファームウェアコード９２０は、ＵＥプロセッサモジュール９０５によって直接的に実行可能ではないことがあるが、（たとえば、コンパイルされ実行されると）本明細書で説明する機能をコンピュータに実行させるように構成され得る。ＵＥプロセッサモジュール９０５は、インテリジェントハードウェアデバイス、たとえば、中央処理装置（ＣＰＵ）、マイクロコントローラ、ＡＳＩＣなどを含み得る。
【００９６】
[0108]図１０は、本開示の様々な態様による、ワイヤレス通信における使用のための装置１００５のブロック図１０００を示す。いくつかの例では、装置１００５は、図１または図２を参照しながら説明し、図３〜図６を参照しながら説明した機能を有する基地局１０５のうちの１つまたは複数の態様の一例であり得る。いくつかの例では、装置１００５は、ＬＴＥ／ＬＴＥ−Ａ  ｅＮＢおよび／またはＬＴＥ／ＬＴＥ−Ａ基地局一部であるか、またはそれを含み得る。装置１００５はまた、プロセッサであり得る。装置１００５は、基地局受信機モジュール１０１０、基地局ＣＳＩモジュール１０１５、および／または基地局送信機モジュール１０２０を含み得る。これらのモジュールの各々は互いに通信していることがある。
【００９７】
[0109]装置１００５の構成要素は、適用可能な機能の一部または全部をハードウェアで実行するように適応された１つまたは複数のＡＳＩＣを使用して、個々にまたはまとめてインプリメントされ得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いてインプリメントされ得る。
【００９８】
[0110]いくつかの例では、基地局受信機モジュール１０１０は、ＵＥによって送信されたＣＳＩデータを受信するように動作可能な無線周波数（ＲＦ）受信機など、少なくとも１つのＲＦ受信機を含み得る。基地局受信機構成要素１０１０は、図１〜図６を参照しながら説明したワイヤレス通信システム１００の１つまたは複数の通信リンクなど、ワイヤレス通信システムの１つまたは複数の通信リンクを介して様々なタイプのデータおよび／または制御信号（すなわち、送信）を受信するために使用され得る。
【００９９】
[0111]いくつかの例では、基地局送信機モジュール１０２０は、複数のサブフレームまたはサブバンドにわたってアップリンク許可を送信するように動作可能な少なくとも１つのＲＦ送信機など、少なくとも１つのＲＦ送信機を含み得る。基地局送信機モジュール１０２０はまた、ＵＥにＣＳＩ構成を送信し、それによって、ＵＥが、ＣＳＩデータを決定する際に１つまたは複数のＣＳＩ構成を使用することを可能にするように動作可能であり得る。基地局送信機モジュール１０２０は、図１〜図６を参照しながら説明したワイヤレス通信システム１００の１つまたは複数の通信リンクなど、ワイヤレス通信システムの１つまたは複数の通信リンクを介して様々なタイプのデータおよび／または制御信号（すなわち、送信）を送信するために使用され得る。
【０１００】
[0112]いくつかの例では、基地局ＣＳＩモジュール１０１５は、ＵＥによって使用されるべき１つまたは複数のＣＳＩ構成を生成するように構成され得る。ＣＳＩ構成は、たとえば、バンドリングサイズの関数として（as a function of）周期性とオフセットとを定義する異なるＰ−ＣＳＩ構成を含み得る。ＣＳＩ構成は、ＣＳＩ参照サブフレームを識別するための異なるオプションとＣＳＩデータを測定するための異なるオプションとを識別する異なるＡ−ＣＳＩ構成を含み得る。ＣＳＩ構成は、ＵＥによって知られているかまたはそれに送信される構成のインデックスに対応し得る。
【０１０１】
[0113]図１１は、本開示の様々な態様による、ワイヤレス通信において使用するための基地局１０５−ｂ（たとえば、ｅＮＢの一部または全部を形成する基地局）のブロック図１１００を示す。いくつかの例では、基地局１０５−ｂは、図３Ａ、図３Ｂ、または図４〜図６を参照しながら説明した機能を有する図１または図２を参照しながら説明した基地局１０５のうちの１つまたは複数の態様、および／あるいは図１０を参照しながら説明した、基地局として構成されたときの装置１００５のうちの１つまたは複数の態様の一例であり得る。基地局１０５−ｂは、図１〜図６を参照しながら説明した基地局および／または装置の特徴および機能のうちの少なくともいくつかをインプリメントするかまたは促進するように構成され得る。
【０１０２】
[0114]基地局１０５−ｂは、基地局プロセッサモジュール１１１０、基地局メモリモジュール１１２０、（（１つまたは複数の）基地局トランシーバモジュール１１５０によって表される）少なくとも１つの基地局トランシーバモジュール、（（１つまたは複数の）基地局アンテナ１１５５によって表される）少なくとも１つの基地局アンテナ、および／または基地局ＣＳＩモジュール１０１５−ａを含み得る。基地局１０５−ｂはまた、基地局通信モジュール１１３０および／またはネットワーク通信モジュール１１４０のうちの１つまたは複数を含み得る。これらのモジュールの各々は、１つまたは複数のバス１１３５上で、直接的または間接的に互いに通信していることがある。
【０１０３】
[0115]基地局メモリモジュール１１２０は、ランダムアクセスメモリ（ＲＡＭ）および／または読取り専用メモリ（ＲＯＭ）を含み得る。基地局メモリモジュール１１２０は、実行されたとき、ワイヤレス通信に関係する本明細書で説明する様々な機能（たとえば、ＣＳＩ構成の生成および／または送信など）を基地局プロセッサモジュール１１１０に実行させるように構成された命令を含んでいるコンピュータ可読、コンピュータ実行可能ソフトウェア／ファームウェアコード１１２５を記憶し得る。代替的に、コンピュータ可読、コンピュータ実行可能ソフトウェア／ファームウェアコード１１２５は、基地局プロセッサモジュール１１１０によって直接的に実行可能でないことがあるが、（たとえば、コンパイルされ、実行されたとき）本明細書で説明する機能のうちのいくつかを基地局１１０５に実行させるように構成され得る。
【０１０４】
[0116]基地局プロセッサモジュール１１１０は、インテリジェントハードウェアデバイス、たとえば、ＣＰＵ、マイクロコントローラ、ＡＳＩＣなどを含み得る。基地局プロセッサモジュール１１１０は、（１つまたは複数の）基地局トランシーバモジュール１１５０、基地局通信モジュール１１３０、および／またはネットワーク通信モジュール１１４０を通して受信された情報を処理し得る。基地局プロセッサモジュール１１１０はまた、（１つまたは複数の）アンテナ１１５５を通した送信のために（１つまたは複数の）トランシーバモジュール１１５０に送られるべき情報、１つまたは複数の他の基地局１０５−ｃおよび１０５−ｄへの送信のために基地局通信モジュール１１３０に送られるべき情報、ならびに／または図１を参照しながら説明したコアネットワーク１３０の１つまたは複数の態様の一例であり得る、コアネットワーク１１４５への送信のためにネットワーク通信モジュール１１４０に送られるべき情報を処理し得る。基地局プロセッサモジュール１１１０は、単独で、または基地局ＣＳＩモジュール１０１５−ａとともに、ＣＳＩ構成の生成および送信の様々な態様を扱い得る。
【０１０５】
[0117]（１つまたは複数の）基地局トランシーバモジュール１１５０は、パケットを変調し、変調されたパケットを送信のために（１つまたは複数の）基地局アンテナ１１５５に与え、（１つまたは複数の）基地局アンテナ１１５５から受信されたパケットを復調するように構成されたモデムを含み得る。（１つまたは複数の）基地局トランシーバモジュール１１５０は、いくつかの例では、１つまたは複数の基地局送信機モジュールおよび１つまたは複数の別個の基地局受信機モジュールとしてインプリメントされ得る。（１つまたは複数の）基地局トランシーバモジュール１１５０は、第１の無線周波数スペクトル帯域および／または第２の無線周波数スペクトル帯域での通信をサポートし得る。（１つまたは複数の）基地局トランシーバモジュール１１５０は、図１、図２、または図９を参照しながら説明したＵＥ１１５のうちの１つまたは複数など、１つまたは複数のＵＥまたは装置と、（１つまたは複数の）アンテナ１１５５を介して双方向に通信するように構成され得る。基地局１０５−ｂは、たとえば、複数の基地局アンテナ１１５５（たとえば、アンテナアレイ）を含み得る。基地局１０５−ｂは、ネットワーク通信モジュール１１４０を通してコアネットワーク１１４５と通信し得る。基地局１０５−ｂはまた、基地局通信モジュール１１３０を使用して、基地局１０５−ｃおよび１０５−ｄなどの他の基地局と通信し得る。
【０１０６】
[0118]基地局ＣＳＩモジュール１０１５−ａは、ＣＳＩ構成に関係する、図３Ａ、図３Ｂ、図４〜図６、または図１０を参照しながら説明した特徴および／または機能の一部または全部を実行および／または制御するように構成され得る。基地局ＣＳＩモジュール１０１５−ａ、または基地局ＣＳＩモジュール１０１５−ａの部分はプロセッサを含み得、ならびに／あるいは基地局ＣＳＩモジュール１０１５−ａの機能の一部または全部は、基地局プロセッサモジュール１１１０によって、および／または基地局プロセッサモジュール１１１０とともに実行され得る。いくつかの例では、基地局ＣＳＩモジュール１０１５−ａは、図１０を参照しながら説明した基地局ＣＳＩモジュール１０１５の一例であり得る。
【０１０７】
[0119]図１２は、基地局１０５−ｅとＵＥ１１５−ｃとを含む多入力／多出力（ＭＩＭＯ）通信システム１２００のブロック図である。ＭＩＭＯ通信システム１２００は、図１〜図６に示したワイヤレス通信システム１００の態様を示し得る。基地局１０５−ｅは、アンテナ１２３４−ａから１２３４−ｘを備え得、ＵＥ１１５−ｃは、アンテナ１２５２−ａから１２５２−ｎを備え得る。ＭＩＭＯ通信システム１２００では、基地局１０５−ｅは、同時に複数の通信リンクを介してデータを送ることが可能であり得る。各通信リンクは、「レイヤ」と呼ばれることがあり、通信リンクの「ランク」は、通信のために使用されるレイヤの数を示し得る。たとえば、基地局１０５−ｅが２つの「レイヤ」を送信する２×２ＭＩＭＯ通信システムでは、基地局１０５−ｅとＵＥ１１５−ｃとの間の通信リンクのランクは２である。
【０１０８】
[0120]基地局１０５−ｅにおいて、送信プロセッサ１２２０は、データソースからデータを受信し得る。送信プロセッサ１２２０は、データを処理し得る。送信プロセッサ１２２０はまた、制御シンボルおよび／または基準シンボルを生成し得る。Ｔｘ  ＭＩＭＯプロセッサ１２３０は、適用可能な場合、データシンボル、制御シンボル、および／または基準シンボルに対して空間処理（たとえば、プリコーディング）を実行し得、出力シンボルストリームを送信変調器１２３２−ａから１２３２−ｘに与え得る。各変調器１２３２は、出力サンプルストリームを取得するために、（たとえば、ＯＦＤＭなどのための）それぞれの出力シンボルストリームを処理し得る。各変調器１２３２はさらに、ＤＬ信号を取得するために、出力サンプルストリームを処理（たとえば、アナログへの変換、増幅、フィルタ処理、およびアップコンバート）し得る。一例では、変調器１２３２−ａ〜１２３２−ｘからのＤＬ信号は、それぞれアンテナ１２３４−ａ〜１２３４−ｘを介して送信され得る。
【０１０９】
[0121]ＵＥ１１５−ｃにおいて、ＵＥアンテナ１２５２−ａ〜１２５２−ｎは、基地局１０５−ｅからＤＬ信号を受信し得、受信信号をそれぞれ復調器１２５４−ａ〜１２５４−ｎに与え得る。各復調器１２５４は、入力サンプルを取得するために、それぞれの受信信号を調整（たとえば、フィルタリング、増幅、ダウンコンバート、およびデジタル化）し得る。各復調器１２５４はさらに、受信シンボルを取得するために、（たとえば、ＯＦＤＭなどのために）入力サンプルを処理し得る。ＭＩＭＯ検出器１２５６は、すべての復調器１２５４−ａ〜１２５４−ｎから受信シンボルを取得し、適用可能な場合は受信シンボルに対してＭＩＭＯ検出を実行し、検出されたシンボルを与え得る。受信プロセッサ１２５８は、検出されたシンボルを処理（たとえば、復調、デインターリーブ、および復号）してＵＥ１１５−ｃのための復号されたデータをデータ出力に与え、復号された制御情報をプロセッサ１２８０またはメモリ１２８２に与え得る。
【０１１０】
[0122]プロセッサ１２８０は、場合によっては、ＵＥ  ＣＳＩモジュール７１５−ｃのうちの１つまたは複数をインスタンス化する（instantiate）ために記憶された命令を実行し得る。ＵＥ  ＣＳＩモジュール７１５−ｃは、図７、図８、または図９を参照しながら説明したＵＥ  ＣＳＩモジュール７１５の態様の一例であり得る。
【０１１１】
[0123]アップリンク上で、ＵＥ１１５−ｃにおいて、送信プロセッサ１２６４が、データソースからデータを受信し、処理し得る。送信プロセッサ１２６４はまた、基準信号のための基準シンボルを生成し得る。送信プロセッサ１２６４からのシンボルは、適用可能な場合、送信ＭＩＭＯプロセッサ１２６６によってプリコーディングされ、（たとえば、シングルキャリアＦＤＭＡ（ＳＣ−ＦＤＭＡ）についてなど）復調器１２５４−ａ〜１２５４−ｎによってさらに処理され、基地局１０５−ｅから受信された送信パラメータに従って基地局１０５−ｅに送信され得る。基地局１０５−ｅにおいて、ＵＥ１１５−ｃからのＵＬ信号が、アンテナ１２３４によって受信され、復調器１２３２によって処理され、適用可能な場合、ＭＩＭＯ検出器１２３６によって検出され、受信プロセッサ１２３８によってさらに処理され得る。受信プロセッサ１２３８は、復号されたデータをデータ出力とプロセッサ１２４０および／またはメモリ１２４２とに与え得る。プロセッサ１２４０は、場合によっては、基地局ＣＳＩモジュール１０１５−ｂのうちの１つまたは複数をインスタンス化するために記憶された命令を実行し得る。基地局ＣＳＩモジュール１０１５−ｂは、図１０または図１１を参照しながら説明した基地局ＣＳＩモジュール１０１５の態様の一例であり得る。
【０１１２】
[0124]ＵＥ１１５−ｃの構成要素は、適用可能な機能の一部または全部をハードウェアで実行するように適応された１つまたは複数のＡＳＩＣを使用して、個々にまたはまとめてインプリメントされ得る。言及されたモジュールの各々は、ＭＩＭＯ通信システム１２００の動作に関係する１つまたは複数の機能を実行するための手段であり得る。同様に、基地局１０５−ｅの構成要素は、ハードウェア中の適用可能な機能の一部または全部を実行するように適応された１つまたは複数のＡＳＩＣを使用して、個々にまたはまとめてインプリメントされ得る。言及した構成要素の各々は、ＭＩＭＯ通信システム１２００の動作に関係する１つまたは複数の機能を実行するための手段であり得る。
【０１１３】
[0125]図１３は、本開示の様々な態様による、ワイヤレス通信のための方法１３００の一例を示すフローチャートである。明快のために、方法１３００は、図１、図２、または図９を参照しながら説明したＵＥ１１５のうちの１つまたは複数の態様、および／あるいは図７または図８を参照しながら説明したデバイス７０５のうちの１つまたは複数の態様に関して以下で説明される。いくつかの例では、ＵＥが、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１１４】
[0126]ブロック１３０５において、方法１３００は、ＴＴＩバンドルの構成に少なくとも部分的に基づいて、ＣＳＩ測定のために使用されるべきＣＳＩ参照サブフレームとして１つまたは複数のサブフレームを識別することを含み得る。サブフレームは、図３Ａ、図３Ｂ、図４、または図６に関して上記で説明した代替のうちの１つに従って識別され得る。ＴＴＩバンドルは、ＴＴＩバンドルを備える複数のサブフレーム中でアップリンク許可とともに受信され得る。ＴＴＩバンドルは、複数のサブフレームをカバーし得、同じく、（２つ以上のＴＴＩサブバンドルの形態で）複数のサブバンドにわたって分割され得る。バンドルアップリンク許可は、カバレージ拡張技法に従って受信され得る。受信ＵＥは、たとえば、ＭＴ  ＣＵＥであり得る。ブロック１３０５における動作は、図８を参照しながら説明したＣＳＩ参照サブフレーム識別モジュール８１０を使用して実行され得る。
【０１１５】
[0127]ブロック１３１０において、方法１３００は、ＣＳＩ参照サブフレームのＣＳＩ測定を実行することを含み得る。ＣＳＩ測定は、Ｐ−ＣＳＩ構成またはＡ−ＣＳＩ構成などのＣＳＩ構成に従って実行され得る。いくつかの例では、ＣＳＩ測定は、複数のＣＳＩ参照サブフレームにわたって行われたＣＳＩ測定を平均化することを含み得る。ブロック１３１０における動作は、図８に関して説明したＣＳＩ測定モジュール８１５および／あるいは図９に関して説明したＣＳＩ測定平均化モジュール９２５またはＣＳＩ構成モジュール９３０を使用して実行され得る。
【０１１６】
[0128]ブロック１３１５において、方法１３００は、ＣＳＩ測定に少なくとも部分的に基づいてＣＳＩデータを送信することを含み得る。ＣＳＩデータは、基地局に送信され得、ＣＳＩ構成に従って送信され得る。ブロック１３１５における動作は、図７または図８に関して説明したＵＥ  ＣＳＩモジュール７１５および／またはＵＥ送信機モジュール７２０を使用して実行され得る。
【０１１７】
[0129]このようにして、方法１３００はワイヤレス通信を提供し得る。方法１３００が一インプリメンテーションにすぎないこと、および方法１３００の動作は、他のインプリメンテーションが可能であるように再構成され得るかまたは別の方法で修正され得ることに留意されたい。
【０１１８】
[0130]図１４は、本開示の様々な態様による、ワイヤレス通信のための方法１４００の一例を示すフローチャートである。明快のために、方法１４００は、図１、図２、または図９を参照しながら説明したＵＥ１１５のうちの１つまたは複数の態様、および／あるいは図７または図８を参照しながら説明したデバイス７０５のうちの１つまたは複数の態様に関して以下で説明される。いくつかの例では、ＵＥが、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１１９】
[0131]ブロック１４１０、１４１５、または１４２０において、方法１４００は、ＴＴＩバンドルの構成に少なくとも部分的に基づいて、ＣＳＩ測定のために使用されるべきＣＳＩ参照サブフレームとして１つまたは複数のサブフレームを識別するための様々な代替を含み得る。
【０１２０】
[0132]たとえば、ブロック１４１０において、方法１４００は、ＣＳＩ参照サブフレームとしてＴＴＩバンドルの最後の有効なサブフレームを識別することを含み得る。サブフレームは、図４を参照しながら説明した第１の代替４２０に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。ブロック１４１０における動作は、図８を参照しながら説明したＣＳＩ参照サブフレーム識別モジュール８１０を使用して実行され得る。
【０１２１】
[0133]ブロック１４１５において、方法１４００は、ＣＳＩ参照サブフレームとしてＴＴＩバンドル中の２つ以上の有効なサブフレームを識別することを含み得る。サブフレームは、図４を参照しながら説明した第２の代替４２５に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。いくつかの状況では、ＴＴＩバンドルの有効なサブフレームのすべては、ＣＳＩ参照サブフレームとして識別され得る。ブロック１４１５における動作は、図８を参照しながら説明したＣＳＩ参照サブフレーム識別モジュール８１０を使用して実行され得る。
【０１２２】
[0134]ブロック１４２０において、方法１４００は、ＣＳＩデータを送信するために使用されるサブフレームよりも少なくとも所定の数だけ前のサブフレームである最新の有効なサブフレームを識別することを含み得、最新の有効なサブフレームとＣＳＩデータを送信するために使用されるサブフレームとの間のギャップが、アップリンク許可を搬送しない少なくとも１つのサブフレームを含む。サブフレームは、図４を参照しながら説明した第３の代替４３０に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。ブロック１４２０における動作は、図８を参照しながら説明したＣＳＩ参照サブフレーム識別モジュール８１０を使用して実行され得る。
【０１２３】
[0135]ブロック１４２５において、方法１４００は、ＣＳＩ参照サブフレームのＣＳＩ測定を実行することを含み得る。ＣＳＩ測定は、Ａ−ＣＳＩ構成などのＣＳＩ構成に従って実行され得る。ブロック１４２５における動作は、図８に関して説明したＣＳＩ測定モジュール８１５および／または図９に関して説明したＣＳＩ構成モジュール９３０を使用して実行され得る。
【０１２４】
[0136]ブロック１４３０において、方法１４００は、ＣＳＩデータの送信より前にＣＳＩ参照サブフレームの各々にわたって実行されたＣＳＩ測定を平均化することを含み得る。ブロック１４３０における動作は、（ブロック１４１０または１４２０が使用された場合であり得る）ただ１つのＣＳＩ参照サブフレームが識別された状況において使用されないことがある。さらに、ブロック１４３０における動作は、ＴＴＩバンドル中に含まれる複数のサブフレームに基づいて複数のＣＳＩ記録が基地局に送信されるべきである場合に使用されないことがある。しかしながら、使用されるとき、ブロック１４３０における動作は、図８に関して説明したＣＳＩ測定モジュール８１５および／または図９に関して説明したＣＳＩ測定平均化モジュール９２５を使用して実行され得る。
【０１２５】
[0137]このようにして、方法１４００はワイヤレス通信を提供し得る。方法１４００が一インプリメンテーションにすぎないこと、および方法１４００の動作は、他のインプリメンテーションが可能であるように再構成され得るかまたは別の方法で修正され得ることに留意されたい。
【０１２６】
[0138]図１５は、本開示の様々な態様による、ワイヤレス通信のための方法１５００の一例を示すフローチャートである。明快のために、方法１５００は、図１、図２、または図９を参照しながら説明したＵＥ１１５のうちの１つまたは複数の態様、および／あるいは図７または図８を参照しながら説明したデバイス７０５のうちの１つまたは複数の態様に関して以下で説明される。いくつかの例では、ＵＥが、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１２７】
[0139]ブロック１５１０、１５２０、１５３０、または１５４０において、方法１５００は、ＴＴＩバンドルの構成に少なくとも部分的に基づいて、ＣＳＩ測定のために使用されるべきＣＳＩ参照サブフレームとして１つまたは複数のサブフレームを識別するための様々な代替を含み得る。
【０１２８】
[0140]たとえば、ブロック１５１０において、方法１５００は、ＣＳＩ参照サブフレームとして最後のＴＴＩサブバンドルの最後の有効なサブフレームを識別することを含み得る。サブフレームは、図６を参照しながら説明した第１の代替６２５に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。ブロック１５１０における動作は、図８を参照しながら説明したＣＳＩ参照サブフレーム識別モジュール８１０を使用して実行され得る。
【０１２９】
[0141]ブロック１５２０において、方法１５００は、ＣＳＩ参照サブフレームとしてＴＴＩサブバンドルの各々の最後の有効なサブフレームを識別することを含み得る。サブフレームは、図６を参照しながら説明した第２の代替６３０に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。ブロック１５２０における動作は、図８を参照しながら説明したＣＳＩ参照サブフレーム識別モジュール８１０を使用して実行され得る。
【０１３０】
[0142]ブロック１５３０において、方法１５００は、ＣＳＩ参照サブフレームとして２つ以上のＴＴＩサブバンドル内の２つ以上の有効なサブフレームを識別することを含み得る。サブフレームは、図６を参照しながら説明した第３の代替６３５に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。いくつかの状況では、２つ以上のＴＴＩサブバンドルの有効なサブフレームのすべては、ＣＳＩ参照サブフレームとして識別され得る。ブロック１５３０における動作は、図８を参照しながら説明したＣＳＩ参照サブフレーム識別モジュール８１０を使用して実行され得る。
【０１３１】
[0143]ブロック１５４０において、方法１５００は、ＣＳＩデータを送信するために使用されるサブフレームよりも少なくとも所定の数だけ前のサブフレームである最新の有効なサブフレームを識別することを含み得、最新の有効なサブフレームとＣＳＩデータを送信するために使用されるサブフレームとの間のギャップが、アップリンク許可を搬送しない少なくとも１つのサブフレームを含む。サブフレームは、図６を参照しながら説明した第４の代替６４０に従って識別され得る。たとえば、ＣＳＩサブフレームセット構成がない場合、またはサブフレームが、短いＤｗＰＴＳまたはＭＢＳＦＮサブフレームをもつ特殊なサブフレームでない場合、サブフレームが有効であることが分かり得る。ブロック１５４０における動作は、図８を参照しながら説明したＣＳＩ参照サブフレーム識別モジュール８１０を使用して実行され得る。
【０１３２】
[0144]ブロック１５４５において、方法１５００は、ＣＳＩ参照サブフレームのＣＳＩ測定を実行することを含み得る。ＣＳＩ測定は、Ａ−ＣＳＩ構成などのＣＳＩ構成に従って実行され得る。ブロック１５４５における動作は、図８に関して説明したＣＳＩ測定モジュール８１５および／または図９に関して説明したＣＳＩ構成モジュール９３０を使用して実行され得る。
【０１３３】
[0145]ブロック１５５０において、方法１５００は、ＣＳＩデータの送信より前にＣＳＩ参照サブフレームの各々にわたって実行されたＣＳＩ測定を平均化することを含み得る。ブロック１５５０における動作は、（ブロック１５１０または１５４０が使用された場合であり得る）ただ１つのＣＳＩ参照サブフレームが識別された状況において使用されないことがある。さらに、ブロック１５５０における動作は、ＴＴＩバンドル中に含まれる複数のサブフレームまたはサブバンドに基づいて複数のＣＳＩ記録が基地局に送信されるべきである場合に使用されないことがある。しかしながら、使用されるとき、ブロック１５５０における動作は、図８に関して説明したＣＳＩ測定モジュール８１５および／または図９に関して説明したＣＳＩ測定平均化モジュール９２５を使用して実行され得る。
【０１３４】
[0146]このようにして、方法１５００はワイヤレス通信を提供し得る。方法１５００が一インプリメンテーションにすぎないこと、および方法１５００の動作は、他のインプリメンテーションが可能であるように再構成され得るかまたは別の方法で修正され得ることに留意されたい。
【０１３５】
[0147]いくつかの例では、方法１３００、１４００、または１５００のうちの２つ以上による態様が組み合わされ得る。方法１３００、１４００、および１５００は例示的なインプリメンテーションにすぎないこと、および方法１３００、１４００、および１５００の動作は、他のインプリメンテーションが可能であるように、再構成され得るかまたは別の方法で修正され得ることに留意されたい。
【０１３６】
[0148]本明細書に記載した技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形形態を含む。ＴＤＭＡシステムは、モバイル通信用グローバルシステム（ＧＳＭ（登録商標））などの無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術をインプリメントし得る。ＵＴＲＡおよびＥ−ＵＴＲＡは、ユニバーサル移動体通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、ライセンスされていないおよび／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１３７】
[0149]添付の図面に関して上記に記載した詳細な説明は、例を説明しており、インプリメントされ得るまたは特許請求の範囲内に入る唯一の例を表すものではない。「例」および「例示的」という用語は、この説明で使用されるとき、「例、事例、または例示として働く」ことを意味し、「好ましい」または「他の例よりも有利である」ことを意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１３８】
[0150]情報および信号は、様々な異なる技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１３９】
[0151]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としてもインプリメントされ得る。
【０１４０】
[0152]本明細書で説明する機能は、ハードウェア、プロセッサによって実行されるソフトウェア、ファームウェア、またはそれらの任意の組合せでインプリメントされ得る。プロセッサによって実行されるソフトウェアでインプリメントされる場合、機能は、１つまたは複数の命令またはコードとしてコンピュータ可読媒体上に記憶されるか、あるいはコンピュータ可読媒体を介して送信され得る。他の例およびインプリメンテーションが、本開示および添付の特許請求の範囲の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用してインプリメントされ得る。機能をインプリメントする特徴はまた、異なる物理的ロケーションにおいて機能の部分がインプリメントされるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡもしくはＢもしくはＣまたはＡＢもしくはＡＣもしくはＢＣまたはＡＢＣ（すなわち、ＡおよびＢおよびＣ）を意味するような選言的列挙を示す。
【０１４１】
[0153]コンピュータ可読媒体は、ある場所から別の場所へのコンピュータプログラムの転送を促進する任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。さらに、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４２】
[0154]本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願発明の当初の特許請求の範囲に記載された発明を付記する。
［Ｃ１］
ワイヤレス通信のための方法であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別することと、
前記ＣＳＩ参照サブフレームのＣＳＩ測定を実行することと、
前記ＣＳＩ測定に少なくとも部分的に基づいてＣＳＩデータを送信することと、
を備える、方法。
［Ｃ２］
ＣＳＩ参照サブフレームとして前記１つまたは複数のサブフレームを識別することが、
ＣＳＩ参照サブフレームとして前記ＴＴＩバンドルの最後の有効なサブフレームを識別すること
を備える、Ｃ１に記載の方法。
［Ｃ３］
ＣＳＩ参照サブフレームとして前記１つまたは複数のサブフレームを識別することが、
ＣＳＩ参照サブフレームとして前記ＴＴＩバンドル中の２つ以上の有効なサブフレームを識別すること
を備える、Ｃ１に記載の方法。
［Ｃ４］
ＣＳＩ参照サブフレームとして前記１つまたは複数のサブフレームを識別することが、
ＣＳＩ参照サブフレームとして前記ＴＴＩバンドル中の前記サブフレームのすべてを識別すること
を備える、Ｃ１に記載の方法。
［Ｃ５］
ＣＳＩ参照サブフレームとして前記１つまたは複数のサブフレームを識別することが、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ１に記載の方法。
［Ｃ６］
前記ＴＴＩバンドルの前記構成は、前記ＴＴＩバンドルが単一のサブバンド上で受信されるようなものである、Ｃ１に記載の方法。
［Ｃ７］
前記ＴＴＩバンドルの前記構成は、前記ＴＴＩバンドルが対応する２つ以上のサブバンドにわたって２つ以上のＴＴＩサブバンドルとして受信されるようなものである、Ｃ１に記載の方法。
［Ｃ８］
ＣＳＩ参照サブフレームとして前記１つまたは複数のサブフレームを識別することが、
ＣＳＩ参照サブフレームとして前記ＴＴＩサブバンドルの各々の最後の有効なサブフレームを識別すること
を備える、Ｃ７に記載の方法。
［Ｃ９］
前記ＣＳＩ参照サブフレームの各々にわたって実行されたＣＳＩ測定を平均化すること
をさらに備える、Ｃ８に記載の方法。
［Ｃ１０］
ＣＳＩ参照サブフレームとして前記１つまたは複数のサブフレームを識別することが、
ＣＳＩ参照サブフレームとして前記２つ以上のＴＴＩサブバンドル内の２つ以上の有効なサブフレームを識別すること
を備える、Ｃ７に記載の方法。
［Ｃ１１］
前記ＣＳＩ参照サブフレームの各々にわたって実行されたＣＳＩ測定を平均化すること
をさらに備える、Ｃ１０に記載の方法。
［Ｃ１２］
ＣＳＩ参照サブフレームとして前記１つまたは複数のサブフレームを識別することが、
ＣＳＩ参照サブフレームとして前記２つ以上のＴＴＩサブバンドル内の前記サブフレームのすべてを識別すること
を備える、Ｃ７に記載の方法。
［Ｃ１３］
前記ＣＳＩ参照サブフレームの各々にわたって実行されたＣＳＩ測定を平均化すること
をさらに備える、Ｃ１２に記載の方法。
［Ｃ１４］
ＣＳＩ参照サブフレームとして前記１つまたは複数のサブフレームを識別することが、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ７に記載の方法。
［Ｃ１５］
前記ＣＳＩ測定に少なくとも部分的に基づいてＣＳＩデータを送信することが、
周期ＣＳＩ（Ｐ−ＣＳＩ）データ送信のための周期性またはオフセットを含むＰ−ＣＳＩ構成に部分的に基づいてＰ−ＣＳＩデータを送信すること
を備える、Ｃ１に記載の方法。
［Ｃ１６］
前記ＣＳＩ測定に少なくとも部分的に基づいてＣＳＩデータを送信することが、
ＣＳＩ測定のために使用されるべき前記ＣＳＩ参照サブフレームを識別するための方式を識別する非周期ＣＳＩ（Ａ−ＣＳＩ）構成に部分的に基づいてＡ−ＣＳＩデータを送信すること
を備える、Ｃ１に記載の方法。
［Ｃ１７］
前記ＴＴＩバンドルの複数のサブフレームにわたるチャネル測定のためのバンドル非ゼロ電力（ＮＺＰ）ＣＳＩ基準信号（ＣＳＩ−ＲＳ）または干渉測定のためのバンドル干渉測定リソース（ＩＭＲ）のうちの少なくとも１つを受信すること
をさらに備える、Ｃ１に記載の方法。
［Ｃ１８］
ＣＳＩ参照サブフレームとして前記１つまたは複数のサブフレームを識別することが、
物理ダウンリンク制御チャネル（ＰＤＣＣＨ）バンドルが受信されたサブバンド上に前記ＣＳＩ参照サブフレームがあると決定することによって前記ＣＳＩ参照サブフレームが有効であると決定すること
を備える、Ｃ１に記載の方法。
［Ｃ１９］
ＣＳＩ参照サブフレームとして前記１つまたは複数のサブフレームを識別することが、
マルチキャストブロードキャスト単一周波数ネットワーク（ＭＢＳＦＮ）サブフレーム、短いダウンリンク部分をもつ特殊なサブフレーム、異なるＣＳＩサブフレームセットに関連するサブフレーム、または異なるサブバンドのサブフレームのうちの少なくとも１つを除外することによって前記ＣＳＩ参照サブフレームが有効であると決定すること
を備える、Ｃ１に記載の方法。
［Ｃ２０］
ＣＳＩ参照サブフレームとして前記１つまたは複数のサブフレームを識別することが、
狭帯域幅動作中に使用されるべきサブバンド上に前記ＣＳＩ参照サブフレームがあると決定することによって前記ＣＳＩ参照サブフレームが有効であると決定すること
を備える、Ｃ１に記載の方法。
［Ｃ２１］
前記ＴＴＩバンドルとともにアップリンク許可を受信することが、
カバレージ拡張技法に従って前記ＴＴＩバンドルを受信すること
を備える、Ｃ１に記載の方法。
［Ｃ２２］
前記ＴＴＩバンドルとともにアップリンク許可を受信することが、
マシン型通信（ＭＴＣ）ユーザ機器（ＵＥ）において前記ＴＴＩバンドルを受信すること
を備える、Ｃ１に記載の方法。
［Ｃ２３］
ワイヤレス通信のための装置であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別するための手段と、
前記ＣＳＩ参照サブフレームのＣＳＩ測定を実行するための手段と、
前記ＣＳＩ測定に少なくとも部分的に基づいてＣＳＩデータを送信するための手段と、 を備える、装置。
［Ｃ２４］
ＣＳＩ参照サブフレームとして前記１つまたは複数のサブフレームを識別するための前記手段が、
ＣＳＩ参照サブフレームとして前記ＴＴＩバンドルの最後の有効なサブフレームを識別するための手段
を備える、Ｃ２３に記載の装置。
［Ｃ２５］
ＣＳＩ参照サブフレームとして前記１つまたは複数のサブフレームを識別するための前記手段が、
ＣＳＩ参照サブフレームとして前記ＴＴＩバンドル中の２つ以上の有効なサブフレームを識別するための手段
を備える、Ｃ２３に記載の装置。
［Ｃ２６］
ＣＳＩ参照サブフレームとして前記１つまたは複数のサブフレームを識別するための前記手段が、
ＣＳＩ参照サブフレームとして前記ＴＴＩバンドル中の前記サブフレームのすべてを識別するための手段
を備える、Ｃ２３に記載の装置。
［Ｃ２７］
ＣＳＩ参照サブフレームとして前記１つまたは複数のサブフレームを識別するための前記手段が、
前記ＣＳＩデータを送信するために使用されるサブフレームよりも少なくとも所定の数だけ前のサブフレームである最新の有効なサブフレームを識別するための手段、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ２３に記載の装置。
［Ｃ２８］
前記ＴＴＩバンドルの前記構成は、前記ＴＴＩバンドルが単一のサブバンド上で受信されるようなものである、Ｃ２３に記載の装置。
［Ｃ２９］
第１のサブバンド上で物理ダウンリンク共有チャネル（ＰＤＳＣＨ）バンドルを受信し、第２のサブバンド上でアップリンク許可を受信するための手段
をさらに備える、Ｃ２３に記載の装置。
［Ｃ３０］
前記ＴＴＩバンドルの前記構成は、前記ＴＴＩバンドルが対応する２つ以上のサブバンドにわたって２つ以上のＴＴＩサブバンドルとして受信されるようなものである、Ｃ２３に記載の装置。
［Ｃ３１］
ＣＳＩ参照サブフレームとして前記１つまたは複数のサブフレームを識別するための前記手段が、
ＣＳＩ参照サブフレームとして最後のＴＴＩサブバンドルの最後の有効なサブフレームを識別するための手段
を備える、Ｃ３０に記載の装置。
［Ｃ３２］
ＣＳＩ参照サブフレームとして前記１つまたは複数のサブフレームを識別するための前記手段が、
ＣＳＩ参照サブフレームとして前記ＴＴＩサブバンドルの各々の最後の有効なサブフレームを識別するための手段
を備える、Ｃ３０に記載の装置。
［Ｃ３３］
前記ＣＳＩ参照サブフレームの各々にわたって実行されたＣＳＩ測定を平均化するための手段
をさらに備える、Ｃ３２に記載の装置。
［Ｃ３４］
ＣＳＩ参照サブフレームとして前記１つまたは複数のサブフレームを識別するための前記手段が、
ＣＳＩ参照サブフレームとして前記２つ以上のＴＴＩサブバンドル内の２つ以上の有効なサブフレームを識別するための手段
を備える、Ｃ３０に記載の装置。
［Ｃ３５］
前記ＣＳＩ参照サブフレームの各々にわたって実行されたＣＳＩ測定を平均化するための手段
をさらに備える、Ｃ３４に記載の装置。
［Ｃ３６］
ＣＳＩ参照サブフレームとして前記１つまたは複数のサブフレームを識別するための前記手段が、
ＣＳＩ参照サブフレームとして前記２つ以上のＴＴＩサブバンドル内の前記サブフレームのすべてを識別するための手段
を備える、Ｃ３０に記載の装置。
［Ｃ３７］
前記ＣＳＩ参照サブフレームの各々にわたって実行されたＣＳＩ測定を平均化するための手段
をさらに備える、Ｃ３６に記載の装置。
［Ｃ３８］
ＣＳＩ参照サブフレームとして前記１つまたは複数のサブフレームを識別するための前記手段が、
前記ＣＳＩデータを送信するために使用されるサブフレームよりも少なくとも所定の数だけ前のサブフレームである最新の有効なサブフレームを識別するための手段、ここにいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ３０に記載の装置。
［Ｃ３９］
前記ＣＳＩ測定に少なくとも部分的に基づいてＣＳＩデータを送信するための前記手段が、
周期ＣＳＩ（Ｐ−ＣＳＩ）データ送信のための周期性またはオフセットを含むＰ−ＣＳＩ構成に部分的に基づいてＰ−ＣＳＩデータを送信するための手段
を備える、Ｃ２３に記載の装置。
［Ｃ４０］
アップリンク許可に関連するアップリンク送信のバンドリングサイズに基づいて前記Ｐ−ＣＳＩ構成を変更するための手段
をさらに備える、Ｃ３９に記載の装置。
［Ｃ４１］
前記ＣＳＩ測定に少なくとも部分的に基づいてＣＳＩデータを送信するための前記手段が、
ＣＳＩ測定のために使用されるべき前記ＣＳＩ参照サブフレームを識別するための方式を識別する非周期ＣＳＩ（Ａ−ＣＳＩ）構成に部分的に基づいてＡ−ＣＳＩデータを送信するための手段
を備える、Ｃ２３に記載の装置。
［Ｃ４２］
前記ＴＴＩバンドルの複数のサブフレームにわたるチャネル測定のためのバンドル非ゼロ電力（ＮＺＰ）ＣＳＩ基準信号（ＣＳＩ−ＲＳ）を受信するための手段
をさらに備える、Ｃ２３に記載の装置。
［Ｃ４３］
前記ＴＴＩバンドルの複数のサブフレームにわたる干渉測定のためのバンドル干渉測定リソース（ＩＭＲ）を受信するための手段
をさらに備える、Ｃ２３に記載の装置。
［Ｃ４４］
ＣＳＩ参照サブフレームとして前記１つまたは複数のサブフレームを識別するための前記手段が、
物理ダウンリンク共有チャネル（ＰＤＳＣＨ）バンドルが受信されたサブバンド上に前記ＣＳＩ参照サブフレームがあると決定することによって前記ＣＳＩ参照サブフレームが有効であると決定するための手段
を備える、Ｃ２３に記載の装置。
［Ｃ４５］
ＣＳＩ参照サブフレームとして前記１つまたは複数のサブフレームを識別するための前記手段が、
マルチキャストブロードキャスト単一周波数ネットワーク（ＭＢＳＦＮ）サブフレーム、短いダウンリンク部分をもつ特殊なサブフレーム、異なるＣＳＩサブフレームセットに関連するサブフレーム、または異なるサブバンドのサブフレームのうちの少なくとも１つを除外することによって前記ＣＳＩ参照サブフレームが有効であると決定するための手段
を備える、Ｃ２３に記載の装置。
［Ｃ４６］
ＣＳＩ参照サブフレームとして前記１つまたは複数のサブフレームを識別するための前記手段が、
狭帯域幅動作中に使用されるべきサブバンド上に前記ＣＳＩ参照サブフレームがあると決定することによって前記ＣＳＩ参照サブフレームが有効であると決定するための手段
を備える、Ｃ２３に記載の装置。
［Ｃ４７］
前記ＴＴＩバンドルとともにアップリンク許可を受信するための前記手段が、
カバレージ拡張技法に従って前記ＴＴＩバンドルを受信するための手段
を備える、Ｃ２３に記載の装置。
［Ｃ４８］
前記ＴＴＩバンドルとともにアップリンク許可を受信するための前記手段が、
マシン型通信（ＭＴＣ）ユーザ機器（ＵＥ）において前記ＴＴＩバンドルを受信するための手段
を備える、Ｃ２３に記載の装置。
［Ｃ４９］
プロセッサと、前記プロセッサと電子通信しているメモリと、前記メモリに記憶された命令とを備える、ワイヤレス通信のための装置であって、前記命令が、前記プロセッサによって、
ＴＴＩバンドルの構成に少なくとも部分的に基づいて、チャネル状態情報（ＣＳＩ）測定のために使用されるべきＣＳＩ参照サブフレームとして１つまたは複数のサブフレームを識別することと、
前記ＣＳＩ参照サブフレームのＣＳＩ測定を実行することと、
前記ＣＳＩ測定に少なくとも部分的に基づいてＣＳＩデータを送信することと、
を実行可能である、装置。
［Ｃ５０］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩバンドルの最後の有効なサブフレームを識別すること
を実行可能な命令を備える、Ｃ４９に記載の装置。
［Ｃ５１］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩバンドル中の２つ以上の有効なサブフレームを識別すること
を実行可能な命令を備える、Ｃ４９に記載の装置。
［Ｃ５２］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩバンドル中の前記サブフレームのすべてを識別すること
を実行可能な命令を備える、Ｃ４９に記載の装置。
［Ｃ５３］
前記プロセッサによって、ＣＳＩ参照サブフレームとして前記１つまたは複数のサブフレームを識別するように実行可能な前記命令が、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能な命令を備える、Ｃ４９に記載の装置。
［Ｃ５４］
前記ＴＴＩバンドルの前記構成は、前記ＴＴＩバンドルが単一のサブバンド上で受信されるようなものである、Ｃ４９に記載の装置。
［Ｃ５５］
前記プロセッサによって、
第１のサブバンド上で物理ダウンリンク共有チャネル（ＰＤＳＣＨ）バンドルを受信することと、第２のサブバンド上でアップリンク許可を受信することと
を実行可能な命令をさらに備える、Ｃ４９に記載の装置。
［Ｃ５６］
前記ＴＴＩバンドルの前記構成は、前記ＴＴＩバンドルが対応する２つ以上のサブバンドにわたって２つ以上のＴＴＩサブバンドルとして受信されるようなものである、Ｃ４９に記載の装置。
［Ｃ５７］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩサブバンドルの各々の最後の有効なサブフレームを識別すること
を実行可能な命令を備える、Ｃ５６に記載の装置。
［Ｃ５８］
前記プロセッサによって、
前記ＣＳＩ参照サブフレームの各々にわたって実行されたＣＳＩ測定を平均化すること
を実行可能な命令をさらに備える、Ｃ５７に記載の装置。
［Ｃ５９］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記２つ以上のＴＴＩサブバンドル内の２つ以上の有効なサブフレームを識別すること
を実行可能な命令を備える、Ｃ５６に記載の装置。
［Ｃ６０］
前記プロセッサによって、
前記ＣＳＩ参照サブフレームの各々にわたって実行されたＣＳＩ測定を平均化すること
を実行可能な命令をさらに備える、Ｃ５９に記載の装置。
［Ｃ６１］
前記プロセッサによって、ＣＳＩ参照サブフレームとして前記１つまたは複数のサブフレームを識別するように実行可能な前記命令が、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能な命令を備える、Ｃ５６に記載の装置。
［Ｃ６２］
ワイヤレス通信のためのコンピュータ実行可能コードを記憶する非一時的コンピュータ可読媒体であって、前記コードは、
ＴＴＩバンドルの構成に少なくとも部分的に基づいて、チャネル状態情報（ＣＳＩ）測定のために使用されるべきＣＳＩ参照サブフレームとして１つまたは複数のサブフレームを識別することと、
前記ＣＳＩ参照サブフレームのＣＳＩ測定を実行することと、
前記ＣＳＩ測定に少なくとも部分的に基づいてＣＳＩデータを送信することと、
を行うためにプロセッサによって実行可能である、非一時的コンピュータ可読媒体。
［Ｃ６３］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩバンドルの最後の有効なサブフレームを識別すること
を実行可能なコードを備える、Ｃ６２に記載の非一時的コンピュータ可読媒体。
［Ｃ６４］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩバンドル中の２つ以上の有効なサブフレームを識別すること
を実行可能なコードを備える、Ｃ６２に記載の非一時的コンピュータ可読媒体。
［Ｃ６５］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩバンドル中の前記サブフレームのすべてを識別すること
を実行可能なコードを備える、Ｃ６２に記載の非一時的コンピュータ可読媒体。
［Ｃ６６］
前記プロセッサによって、ＣＳＩ参照サブフレームとして前記１つまたは複数のサブフレームを識別するように実行可能な前記コードが、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能なコードを備える、Ｃ６２に記載の非一時的コンピュータ可読媒体。
［Ｃ６７］
前記ＴＴＩバンドルの前記構成は、前記ＴＴＩバンドルが単一のサブバンド上で受信されるようなものである、Ｃ６２に記載の非一時的コンピュータ可読媒体。
［Ｃ６８］
前記プロセッサによって、
第１のサブバンド上で物理ダウンリンク共有チャネル（ＰＤＳＣＨ）バンドルを受信することと、第２のサブバンド上でアップリンク許可を受信することと
を実行可能なコードをさらに備える、Ｃ６２に記載の非一時的コンピュータ可読媒体。
［Ｃ６９］
前記ＴＴＩバンドルの前記構成は、前記ＴＴＩバンドルが対応する２つ以上のサブバンドにわたって２つ以上のＴＴＩサブバンドルとして受信されるようなものである、Ｃ６２に記載の非一時的コンピュータ可読媒体。
［Ｃ７０］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩサブバンドルの各々の最後の有効なサブフレームを識別すること
を実行可能なコードを備える、Ｃ６９に記載の非一時的コンピュータ可読媒体。
［Ｃ７１］
前記プロセッサによって、
前記ＣＳＩ参照サブフレームの各々にわたって実行されたＣＳＩ測定を平均化すること
を実行可能なコードをさらに備える、Ｃ７０に記載の非一時的コンピュータ可読媒体。
［Ｃ７２］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記２つ以上のＴＴＩサブバンドル内の２つ以上の有効なサブフレームを識別すること
を実行可能なコードを備える、Ｃ６９に記載の非一時的コンピュータ可読媒体。
［Ｃ７３］
前記プロセッサによって、
前記ＣＳＩ参照サブフレームの各々にわたって実行されたＣＳＩ測定を平均化すること
を実行可能なコードをさらに備える、Ｃ７２に記載の非一時的コンピュータ可読媒体。
［Ｃ７４］
前記プロセッサによって、ＣＳＩ参照サブフレームとして前記１つまたは複数のサブフレームを識別するように実行可能な前記コードが、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能なコードを備える、Ｃ６９に記載の非一時的コンピュータ可読媒体。
【図１】
0006704918.tif 000002
【図２】
0006704918.tif 000003
【図３Ａ】
0006704918.tif 000004
【図３Ｂ】
0006704918.tif 000005
【図４】
0006704918.tif 000006
【図５】
0006704918.tif 000007
【図６】
0006704918.tif 000008
【図７】
0006704918.tif 000009
【図８】
0006704918.tif 000010
【図９】
0006704918.tif 000011
【図１０】
0006704918.tif 000012
【図１１】
0006704918.tif 000013
【図１２】
0006704918.tif 000014
【図１３】
0006704918.tif 000015
【図１４】
0006704918.tif 000016
【図１５】
0006704918.tif 000017